(57)【要約】  本発明は、マルチメディアコンテンツを生成し、編成し、および／または再生する際に使用する方法およびシステムを提供する。本発明に係る方法は、複数のメディアコンテンツのそれぞれに関連付けられているパラメータデータを有するメディアコンテンツにアクセスするステップと、第１の編成スタイルを識別するステップと、その第１の編成スタイルに従って第１のパラメータデータを識別するステップと、複数のメディアコンテンツのそれぞれのパラメータデータを第１のパラメータデータと比較して分析するステップと、複数のメディアコンテンツのそれぞれに関するパラメータデータが、第１の編成スタイルに従って第１のパラメータデータに関連するように、複数のメディアコンテンツを編成するステップと、それらのメディアコンテンツを組み込む出力コンテンツを、第１の編成スタイルに従って編成されたものとして生成するステップとを備える。【特許請求の範囲】
【請求項１】
ソースコンテンツを編成する際に使用する方法であって、
複数のメディアコンテンツのそれぞれに関連付けられているパラメータデータを有する前記メディアコンテンツにアクセスするステップと、
第１の編成スタイルを識別するステップと、
前記第１の編成スタイルに従って第１のパラメータデータを識別するステップと、
前記複数のメディアコンテンツのそれぞれの前記パラメータデータを、前記第１のパラメータデータと比較して分析するステップと、
前記複数のメディアコンテンツのそれぞれに関する前記パラメータデータが、前記第１の編成スタイルに従って前記識別された第１のパラメータデータに関連するように、前記複数のメディアコンテンツを編成するステップと、
前記複数のメディアコンテンツを組み込む出力コンテンツを、前記第１の編成スタイルに従って編成されたものとして生成するステップとを含むことを特徴とする方法。
【請求項２】
前記第１のパラメータデータは、位置パラメータデータであり、前記編成するステップは、それぞれのメディアコンテンツが前記複数のメディアコンテンツのうちの他のメディアコンテンツに位置の点で関連するように前記複数のメディアコンテンツを編成するステップを含むことを特徴とする請求項１に記載の方法。
【請求項３】
前記第１の編成スタイルは、仮想見学の編成を含み、前記編成するステップは、前記複数のメディアコンテンツのそれぞれの前記位置パラメータのそれぞれの、前記複数のメディアコンテンツのうちの少なくとも１つの他のメディアコンテンツの前記位置パラメータのそれぞれに対する近接性に従って、前記複数のメディアコンテンツを編成するステップを含むことを特徴とする請求項２に記載の方法。
【請求項４】
前記編成スタイルの第１のパラメータデータに基づいて第１のメディアコンテンツに関連付けられている前記第１のパラメータデータに従って、前記第１のメディアコンテンツを識別するステップと、
前記第１のメディアコンテンツの第２のパラメータデータを識別するステップと、
第２のメディアコンテンツに関連付けられている第１のパラメータデータの、前記第１のメディアコンテンツの前記第１のパラメータデータに対する関連性に基づいて前記第２のメディアコンテンツを識別するステップと、
前記第２のメディアコンテンツの第２のパラメータデータを識別するステップとをさらに含み、
前記編成するステップは、前記第１および第２のメディアコンテンツの前記第１のパラメータデータと、前記第１および第２のメディアコンテンツの前記第２のパラメータデータとの双方の間における関係に基づいて前記第１の編成スタイルに従って前記第１および第２のメディアコンテンツを前記出力コンテンツ内へ組み込むステップを含むことを特徴とする請求項１に記載の方法。
【請求項５】
前記複数のメディアコンテンツにアクセスする前記ステップは、前記複数のメディアコンテンツのうちの少なくとも１つの部分に離れた場所からアクセスするステップを含むことを特徴とする請求項１に記載の方法。
【請求項６】
前記第１の編成スタイルを離れた場所から検索するステップをさらに含むことを特徴とする請求項１に記載の方法。
【請求項７】
前記第１の編成スタイルは、前記出力コンテンツ内に組み込まれている再生ナビゲーションコントロールを含むことを特徴とする請求項１に記載の方法。
【請求項８】
生体測定パラメータデータに従って前記複数のメディアコンテンツを優先順位付けするステップをさらに含むことを特徴とする請求項１に記載の方法。
【請求項９】
第２の編成スタイルを前記複数のコンテンツに適用するステップと、
前記第２の編成スタイルに従って前記出力コンテンツを再作成するステップとをさらに含むことを特徴とする請求項１に記載の方法。
【請求項１０】
編成された再生コンテンツを生成する際に使用する方法であって、
再生スタイルを識別するステップと、
前記再生スタイルから第１のスタイルの位置パラメータを検索するステップと、
前記第１のスタイルの位置パラメータに地理的に関連している第１のコンテンツの位置パラメータを有する第１のマルチメディアコンテンツを識別するステップと、
前記再生スタイルに従って前記第１のマルチメディアコンテンツをマルチメディア出力内に組み込むステップとを含むことを特徴とする方法。
【請求項１１】
前記第１のマルチメディアコンテンツを識別する前記ステップは、前記第１のコンテンツの位置パラメータが前記第１のスタイルの位置パラメータからしきい値の距離内にあることを判定するステップを含むことを特徴とする請求項１０に記載の方法。
【請求項１２】
前記再生スタイルから第２のスタイルの位置パラメータを検索するステップと、
前記第２のスタイルの位置パラメータに地理的に関連している第２のコンテンツの位置パラメータを有する第２のマルチメディアコンテンツを識別するステップと、
前記再生スタイルに従って前記第２のマルチメディアコンテンツを前記マルチメディア出力内に組み込むステップとをさらに含むことを特徴とする請求項１０に記載の方法。
【請求項１３】
複数のマルチメディアコンテンツから複数の寸法パラメータを抽出するステップと、
前記寸法パラメータに従って地理的なレイアウトを定義するステップとをさらに含むことを特徴とする請求項１０に記載の方法。
【請求項１４】
マルチメディアコンテンツを再生する際に使用する方法であって、
現在の地理的位置パラメータを識別するステップと、
現在のコンパスパラメータを識別するステップと、
位置パラメータデータを有する複数のマルチメディアコンテンツにアクセスするステップと、
しきい値の距離を識別するステップと、
第１の位置パラメータと方位パラメータとを有する第１のマルチメディアコンテンツを識別するステップと、
前記現在の位置パラメータが前記第１の位置パラメータから地理的に前記しきい値の距離内にあり、前記現在のコンパスパラメータが前記方位パラメータと合致する場合に、前記第１のマルチメディアコンテンツを再生するステップとを含むことを特徴とする方法。
【請求項１５】
前記複数のマルチメディアコンテンツにアクセスする前記ステップは、前記複数のマルチメディアコンテンツに離れた場所からアクセスするステップを含むことを特徴とする請求項１４に記載の方法。
【請求項１６】
現在の日付を割り出すステップと、
第１のマルチメディアコンテンツの日付パラメータを抽出するステップと、
前記現在の日付が前記第１のマルチメディアコンテンツの日付パラメータから日付のしきい値内にある場合に、前記第１のマルチメディアコンテンツを再生するステップとをさらに含むことを特徴とする請求項１４に記載の方法。
【請求項１７】
前記現在の地理的位置に地理的に関連している第２の地理的位置データを有する第２のマルチメディアコンテンツを識別するステップと、
前記第２のマルチメディアコンテンツが以前に再生されているかどうかを判定するステップと、
前記第２のマルチメディアコンテンツが繰り返し再生されないようにするステップとをさらに含むことを特徴とする請求項１４に記載の方法。
【請求項１８】
コンテンツを生成する際に使用する方法であって、
マルチメディアコンテンツをメディア上に記録するステップと、
コンテンツを記録している間に前記コンテンツが記録されている位置に関する緯度および経度を検知するステップと、
緯度および経度のパラメータデータを生成するステップと、
前記緯度および経度のパラメータデータを前記マルチメディアコンテンツと共に前記メディアへ記録するステップとを含むことを特徴とする方法。
【請求項１９】
コンテンツを記録している間に、記録されている前記コンテンツに関するコンパスパラメータデータを同時に検知するステップと、
前記コンパスパラメータデータを前記マルチメディアコンテンツと共に前記メディアへ記録するステップとをさらに含むことを特徴とする請求項１８に記載の方法。
【請求項２０】
前記緯度、経度、およびコンパスパラメータデータを記録する前記ステップは、前記コンテンツを前記メディア上に記録する前記ステップを実行している間に前記緯度、経度、およびコンパスパラメータデータを前記メディア上に同時に記録するステップを含むことを特徴とする請求項１９に記載の方法。
【請求項２１】
前記緯度、経度、およびコンパスパラメータデータを記録する前記ステップは、前記緯度、経度、およびコンパスパラメータデータを前記記録されたコンテンツと混合するステップを含むことを特徴とする請求項２０に記載の方法。
【請求項２２】
前記記録された緯度および経度のパラメータデータに従って、前記記録されたコンテンツのインデックスを生成するステップをさらに含むことを特徴とする請求項１８に記載の方法。
【請求項２３】
前記コンテンツを記録している間に水平方向からの傾斜を同時に検知するステップと、
前記検知された水平方向からの傾斜を前記メディアへ記録するステップとをさらに含むことを特徴とする請求項１８に記載の方法。
【請求項２４】
前記コンテンツを記録している間にユーザの生体測定パラメータを同時にモニタするステップと、
前記生体測定パラメータを前記メディアへ記録するステップとをさらに含むことを特徴とする請求項１８に記載の方法。
【請求項２５】
再生経験を提供する方法であって、
ある時間枠にわたって対象の複数の位置を検知するステップと、
前記識別された複数の位置のそれぞれに関する複数の位置パラメータを生成するステップと、
前記識別された複数の位置のそれぞれに対応する前記対象の複数のマルチメディアコンテンツを記録するステップと、
前記複数のマルチメディアコンテンツのそれぞれと共に前記複数の位置パラメータのうちの１つを記録するステップと、
前記記録されたマルチメディアコンテンツのそれぞれに関連付けられている前記位置パラメータに基づいて前記複数の記録されたマルチメディアコンテンツを編成するステップと、
前記編成された複数の記録されたマルチメディアコンテンツの再生経験を生成するステップとを含むことを特徴とする方法。
【請求項２６】
前記マルチメディアコンテンツを記録しているときに前記複数の記録されたマルチメディアコンテンツのそれぞれを前記対象に関連付けるステップと、
前記時間枠の終わりに前記対象を識別するステップと、
前記対象に対応する前記複数の記録されたマルチメディアコンテンツのそれぞれを検索して、前記複数の記録されたマルチメディアコンテンツを編成する前記ステップを開始するステップとをさらに含むことを特徴とする請求項２５に記載の方法。
【請求項２７】
第１の再生スタイルを識別するステップをさらに含み、
前記編成するステップは、前記識別された第１の再生スタイルに従って編成を行うステップを含むことを特徴とする請求項２５に記載の方法。
【請求項２８】
第２の再生スタイルを識別するステップと、
前記第２の再生スタイルに従って前記記録されたマルチメディアコンテンツのそれぞれに関連付けられている前記位置パラメータに基づいて前記複数の記録されたマルチメディアコンテンツを再編成するステップとをさらに含むことを特徴とする請求項２７に記載の方法。
【請求項２９】
さらなる対象が生成されたコンテンツが、前記再生経験内に組み込まれることになるかどうかを判定するステップと、
複数の前記対象が生成されたコンテンツ、および前記複数の前記対象が生成されたコンテンツのそれぞれに関する位置パラメータを検索するステップとをさらに含み、
前記複数の記録されたマルチメディアコンテンツを編成する前記ステップは、前記記録されたマルチメディアコンテンツおよび前記複数の前記対象が生成されたコンテンツのそれぞれに関連付けられている前記位置パラメータに基づいて、前記複数の記録されたマルチメディアコンテンツおよび前記複数の前記対象が生成されたコンテンツを編成するステップを含み、
前記再生経験を生成する前記ステップは、前記編成された複数の前記記録されたマルチメディアコンテンツおよび前記対象が生成されたコンテンツの前記再生経験を生成するステップを含むことを特徴とする請求項２５に記載の方法。
【請求項３０】
コンテンツを記録する際に使用する装置であって、
マルチメディアコンテンツ検知デバイスと、
現在の位置を検知して、前記検知した現在の位置に対応する位置パラメータデータを生成する地理的位置検知器と、
データストレージメディアと、
前記マルチメディアコンテンツ検知デバイス、位置検知器、およびストレージメディアに結合されているコンテンツレコーディングデバイスであって、前記コンテンツ検知デバイスによって検知されたマルチメディアコンテンツおよび前記位置パラメータデータを受信して、前記マルチメディアコンテンツおよび前記位置パラメータデータを前記データストレージメディアへ記録するコンテンツレコーディングデバイスとを含むことを特徴とする装置。
【請求項３１】
ユーザの生体測定パラメータデータを検知するバイオメトリックセンサをさらに含み、
前記コンテンツレコーディングデバイスは、前記生体測定パラメータデータを受信して、前記生体測定パラメータデータを前記データストレージメディアへ書き込むようにさらに構成されていることを特徴とする請求項３０に記載の装置。
【請求項３２】
コンテンツレコーディングデバイスは、検知された前記マルチメディアコンテンツおよび前記位置パラメータデータを前記データストレージメディアへ記録しているときに前記位置パラメータデータを前記マルチメディアコンテンツと多重化するマルチプレクサをさらに含むことを特徴とする請求項３０に記載の装置。
【請求項３３】
前記マルチメディアコンテンツを記録している間に記録の方向に対するコンパスの方向を同時に検知して、コンパスパラメータデータを生成するコンパス方向検知デバイスをさらに含み、
前記コンテンツレコーディングデバイスは、前記コンパス方向デバイスと結合して、前記コンパスパラメータデータを前記データストレージメディアへ記録することを特徴とする請求項３０に記載の装置。
【請求項３４】
マルチメディアコンテンツを再生する際に使用する装置であって、
コンテンツ位置パラメータデータを有するマルチメディアコンテンツを保存するデータストレージと、
現在の位置を検知して、前記検知した現在の位置に対応する再生位置パラメータデータを生成する地理的位置検知器と、
マルチメディア出力と、
前記再生位置パラメータを受信して、前記再生位置パラメータデータと、前記コンテンツパラメータデータとの間における合致を求めて前記マルチメディアコンテンツの前記コンテンツ位置パラメータデータを検索するために、および前記合致に基づいて識別されたマルチメディアコンテンツを、再生される前記出力に提供するために、データストレージおよび前記位置検知器に結合されているプロセッサとを含むことを特徴とする装置。
【請求項３５】
コンパスパラメータデータを生成するコンパス方向検知デバイスをさらに含み、前記コンパス方向検知デバイスは、前記プロセッサと結合して、前記コンパスパラメータデータを提供し、それによって前記プロセッサは、前記コンパスパラメータデータと合致する方位パラメータを有する前記マルチメディアコンテンツを識別することを特徴とする請求項３４に記載の装置。
【請求項３６】
前記データストレージは、前記位置検知デバイスおよび前記出力から離れていることを特徴とする請求項３５に記載の装置。
【請求項３７】
前記出力へ提供される前記マルチメディアコンテンツを無線で受信する無線通信デバイスをさらに含むことを特徴とする請求項３６に記載の装置。
【発明の詳細な説明】
【技術分野】
【０００１】
本発明は一般に、マルチメディアコンテンツに関し、より詳細には、コンテンツの作成、編成、および再生に関する。
【背景技術】
【０００２】
オーディオ、イメージ、ビデオ、及びその他のそのようなマルチメディアコンテンツなど、いくつかの異なるタイプのマルチメディアコンテンツが存在する。そのようなコンテンツの作成は、当技術分野においてよく知られており、通常は、音響信号および／または光を検知するフィルムおよび／またはセンサを通じて取り込まれる。コンテンツは、デジタルフォーマットで作成され、および／またはデジタルフォーマットに変換される場合が多い。
【０００３】
マルチメディアコンテンツの作成は、比較的簡単であり、ますます容易に、かつますます手ごろな価格になってきている。したがって、多くの個人および企業が、大量のマルチメディアコンテンツを作成している。しかし、コンテンツの編成（organizing）は、通常は困難であり、一般に過剰な時間を要する。このように、多くの場合、作成されたコンテンツは、編成されていないか、または容易に見られるようになっていない。
【発明の開示】
【発明が解決しようとする課題】
【０００４】
通常、とりわけ個人のユーザの場合には、コンテンツは、記録されて、ストレージデバイス（例えば、コンピュータ内のメモリやフラッシュメモリなどの電子メモリストレージデバイス）内にそのまま保持される。コンテンツの編成は、実質的にまったく行われず、マルチメディアコンテンツが記録された順序でそのまま放置される。編成がほとんど、またはまったく行われていないため、コンテンツの視聴および／または再生が制限され、一般には、ユーザの見たい内容とほとんど、またはまったく関連性のないコンテンツを見る必要が生じる。そのように、ユーザは、該当するコンテンツを見るために、本当に見たいわけではないコンテンツに目を通さなければならない。
【課題を解決するための手段】
【０００５】
本発明に係る実施形態は、有利なことに、マルチメディアコンテンツを作成し、編成し、および／または再生する際に使用する方法およびシステムの提供を通じて、上述のニーズならびにその他のニーズに対処する。いくつかの実施形態は、ソースコンテンツを編成する際に使用するいくつかの方法を提供する。これらの方法は、複数のメディアコンテンツのうちのそれぞれに関連付けられているパラメータデータを有するメディアコンテンツにアクセスし、第１の編成スタイルを識別し、その第１の編成スタイルに従って第１のパラメータデータを識別し、複数のメディアコンテンツのうちのそれぞれのパラメータデータを、第１のパラメータデータと比較して分析し、複数のメディアコンテンツのうちのそれぞれに関するパラメータデータが、第１の編成スタイルに従って、識別された第１のパラメータデータに関連するように、複数のメディアコンテンツを編成し、それらの複数のメディアコンテンツを組み込む出力コンテンツを、第１の編成スタイルに従って編成されたものとして作成する。
【０００６】
いくつかの実施形態においては、編成された再生コンテンツを作成する際に使用するいくつかの方法が提供される。これらの方法は、再生スタイルを識別し、その再生スタイルから第１のスタイルの位置パラメータを検索し、その第１のスタイルの位置パラメータに地理的に関連している第１のコンテンツの位置パラメータを有する第１のマルチメディアコンテンツを識別し、再生スタイルに従って第１のマルチメディアコンテンツをマルチメディア出力内に組み込む。
【０００７】
いくつかの実施形態は、追加として、および／または別法として、マルチメディアコンテンツを再生する際に使用するいくつかの方法を提供する。これらの方法のうちのいくつかは、現在の地理的位置パラメータを識別し、現在のコンパスパラメータを識別し、位置パラメータデータを有する複数のマルチメディアコンテンツにアクセスし、しきい値の距離を識別し、第１の位置パラメータと方位パラメータとを有する第１のマルチメディアコンテンツを識別し、現在の位置パラメータが第１の位置パラメータから地理的にしきい値距離内にあり、現在のコンパスパラメータが方位パラメータと合致する場合に、第１のマルチメディアコンテンツを再生する。
【０００８】
いくつかのさらなる実施形態においては、コンテンツを作成する際に使用するいくつかの方法が提供される。コンテンツを作成するこれらの方法は、マルチメディアコンテンツをメディア上に記録し、コンテンツを記録している間に、そのコンテンツが記録されている位置に関する緯度および経度を検知し、緯度および経度のパラメータデータを作成し、その緯度および経度のパラメータデータをマルチメディアコンテンツと共にメディアへ記録する。
【０００９】
さらなる実施形態は、ある時間枠にわたって対象の複数の位置を検知するステップと、識別された複数の位置のそれぞれに関する複数の位置パラメータを作成するステップと、識別された複数の位置のそれぞれに対応する対象の複数のマルチメディアコンテンツを記録するステップと、複数のマルチメディアコンテンツのそれぞれと共に複数の位置パラメータのうちの１つを記録するステップと、記録されたマルチメディアコンテンツのそれぞれに関連付けられている位置パラメータに基づいて複数の記録されたマルチメディアコンテンツを編成するステップと、編成された複数の記録されたマルチメディアコンテンツの再生経験を作成するステップとによって再生経験を提供する方法を提供する。
【００１０】
またさらなる実施形態は、コンテンツを記録する際に使用するいくつかの装置を提供する。これらの装置のうちのいくつかは、マルチメディアコンテンツ検知デバイスと、現在の位置を検知して、その検知した現在の位置に対応する位置パラメータデータを作成する地理的位置検知器と、データストレージメディアと、マルチメディアコンテンツ検知デバイス、位置検知器、およびストレージメディアに結合されているコンテンツレコーディングデバイスであって、コンテンツ検知デバイスによって検知されたマルチメディアコンテンツおよび位置パラメータデータを受信して、そのマルチメディアコンテンツおよび位置パラメータデータをデータストレージメディアへ記録するコンテンツレコーディングデバイスとを含む。
【００１１】
さらに、いくつかのこれらの実施形態は、マルチメディアコンテンツを再生する際に使用するいくつかの装置を提供する。これらの装置は、コンテンツ位置パラメータデータを有するマルチメディアコンテンツを保存するデータストレージと、現在の位置を検知して、その検知した現在の位置に対応する再生位置パラメータデータを作成する地理的位置検知器と、マルチメディア出力と、再生位置パラメータを受信して、その再生位置パラメータデータと、コンテンツパラメータデータとの間における合致を求めてマルチメディアコンテンツのコンテンツ位置パラメータデータを検索するために、およびその合致に基づいて識別されたマルチメディアコンテンツを、再生される出力に提供するために、データストレージおよび位置検知器に結合されているプロセッサとを含む。
【００１２】
本発明の原理が利用される例示的な実施形態が記載される以下の詳細な説明および添付の図面を参照することによって、本発明の特徴および利点に関するよりよい理解が得られるであろう。
【００１３】
本発明に関する上述およびその他の態様、特徴、および利点については、添付の図面と共に提示される本発明に関する以下のさらに詳細な説明から、さらに明らかになるであろう。
【００１４】
対応する参照符号は、図面のうちのいくつかの図を通じて、対応する構成要素を示す。図における要素は、説明を簡単かつ明確にするために示されており、必ずしも正確な縮尺では描かれていないということを当業者なら理解できるであろう。例えば、図における要素のうちのいくつかの寸法は、本発明のさまざまな実施形態の理解を高める上で役立つように、その他の要素に比べて誇張されているかもしれない。また、本発明のこれらのさまざまな実施形態が分かりづらくならないように、商業的に実現可能な実施形態において有用または必要である一般的でよく理解されている要素は、示されていない場合が多い。
【発明を実施するための最良の形態】
【００１５】
本発明に係る実施形態は、ソースコンテンツまたはメディア（例えば、マルチメディアコンテンツ）を作成または記録し、そのソースコンテンツを編成し、そのソースコンテンツを再生する際に使用する方法およびシステムを提供する。さらに、これらの実施形態は、記録されたコンテンツの編成および再生に際して使用するために、データ、メタデータ、および／またはパラメータを、そのコンテンツと共に作成し、および／またはそのコンテンツに関連付ける。メタデータまたはパラメータは、コンテンツが記録された位置を定義することに関連付けられている位置パラメータデータと、コンテンツが記録されたときの時間および／または日付パラメータデータと、その他の関連するパラメータデータとを含むことができる。これらの実施形態は、パラメータデータを利用して、コンテンツの再生経験を作成するためのコンテンツの編成を簡略化し、いくつかの実装形態においては自動化する。またさらに、これらの実施形態は、パラメータデータに基づいてコンテンツの一部が選択されて再生が開始されることを可能にする。記録されるマルチメディアコンテンツと共に位置パラメータおよび／または時間パラメータを記録することによって、これらの実施形態は、コンテンツの編成を簡略化および自動化して、ユーザによる対話を大幅に少なくすることができる。これらの実施形態は、位置／時間パラメータをさらに利用して、コンテンツが視聴者に対していつどのように再生されるべきかを判断する。
【００１６】
個人および企業は、さまざまな位置から、および／またはさまざまな時間に、任意の数の様々なコンテンツを記録する。そのようなコンテンツの編成は一般に、時間およびコストのかかる手作業のプロセスである。いくつかのシステムによって、ユーザは、再生経験を生成することができるが、これらのシステムは通常、記録されたコンテンツを取り上げて、そのコンテンツをＤＶＤ（digital versatile disc）などのメディアに再び記録するだけである。また、これらのシステムは通常、コンテンツの編成は行わず、それどころか、一般にはランダムな順序で、および一般には何の意味または編成も伴わずに、ＤＶＤを作成する。さらに、ユーザが、様々な位置からのさまざまなタイプのコンテンツ（例えば、映画、写真、リアルタイムのイメージ、およびその他のそのようなコンテンツ）を有する場合には、ＤＶＤの作成は、結果として、ＤＶＤの全体にわたってコンテンツが編成されず、関連性を持たず、散らかった状態になる場合が多い。
【００１７】
本発明に係る実施形態を伴わずに再生経験を編成および／または作成するためには、コンテンツを編成する人は通常、コンテンツが記録されている位置に関する専門知識を持たなければならない。さらに、コンテンツの作成者は通常、コンテンツを見直し、編成を決定し、ソースコンテンツの所望の提示に関する多数の詳細な決定を行わなければならない。例えばコンテンツの作成者は、ソースコンテンツを、バーチャルウォークスルー（virtual walkthrough）、位置に基づくインデックスの付いたライブラリ、経験に固有のライブラリ、またはその他のそのような編成として提示するかどうかを決定しなければならない。したがって、本発明に係る実施形態よりも前には、ソースコンテンツの編成は、多大な労力、時間、および費用を通じて達成される手作りの技術であった。
【００１８】
本発明に係る実施形態は、位置に基づくデータ、時間データ、生体測定データおよび／または生理的なデータ、ならびにソースコンテンツと連携している、および／またはソースコンテンツに埋め込まれているその他のそのようなデータなど、ソースコンテンツそのものと連携している、および／またはソースコンテンツそのものの中に埋め込まれている情報に基づいて再生経験の生成を合理化および／または自動化する。このように、これらの実施形態は、ユーザが、詳細なおよび／または専門家レベルの再生経験を生成し、（例えば、以下で十分に説明するように、提示スタイル同士の間で切り替えを行うことによって）編成を迅速に変更し、最も満足できる最終経験を容易にすばやく決定できるようにする方法およびシステムを提供する。再生経験は、タグの付いたコンテンツ（例えば、位置タグの付いたコンテンツ、時間タグの付いたコンテンツ、生体測定タグの付いたコンテンツなど）を、アクセス可能なおよび／または閲覧可能なデータストアに変換する自動化されたプロセスを通じて生成される。さらに、特定のスタイルおよびテンプレートの適用を通じて、ソースを自動的に操作するか、または練り上げて、非常に楽しめるおよび／または専門的な再生経験を生成することができる。
【００１９】
上述したように、本発明に係る実施形態は、関連付けされている、連携している、および／または埋め込まれているパラメータデータを利用して、コンテンツと、その他のコンテンツとの関連性を判断する。このパラメータデータは、位置、時間、ソースコンテンツを記録するユーザの生体測定状態または生理的な状態、およびその他のそのようなパラメータデータに関するデータを含むことができる。パラメータデータを記録または生成する際には、それらのパラメータデータは、いくつかの実施形態においては、コンテンツと同時に生成して、ソースコンテンツと共に直接記録することができる。いくつかの代替実施形態においては、パラメータデータは、別個のストレージに記録され、ソースコンテンツに関連付けられる。またさらに、記録が行われた後で、さらなるパラメータデータおよび条件をメディアコンテンツに後から関連付けることができる。いくつかの実施形態におけるパラメータデータは、記録されたコンテンツに関連付けられている記録されたメタデータである。
【００２０】
図１は、いくつかの実施形態によるマルチメディアレコーディングシステムまたはデバイス１２０の簡略化されたブロック図を示している。このレコーディングシステムは、オーディオコンテンツ、ビジュアルコンテンツ、および／またはその他のそのようなコンテンツを記録することができ、カメラ、ビデオカメラ、及びその他のそのようなマルチメディアレコーディングデバイスなど、実質的にあらゆる適切なマルチメディアレコーディングシステムとすることができる。レコーディングシステム１２０は、コントローラ１２２と、システムメモリ１２４と、検知器１３０、１３２と、コンテンツレコーダ１３４と、記録可能なメディア１３６と、位置検知デバイスまたはシステム１４０と、クロック１４２と、電源１４４と、ユーザコントロール１４６と、システムを機能させるための、ならびに／あるいはコンテンツおよびパラメータデータを記録するためのその他の適切な回路１５０とを含む。いくつかの実施形態においては、レコーディングシステム１２０は、コンパス方向および／または傾斜検知デバイス１６０と、１つまたは複数の入力および／または出力ポート１６２と、さらなるメモリ１６４と、１つまたは複数のセンサ１６６と、スピーカ１７０およびディスプレイ１７２などのオーディオ出力およびビジュアル出力とをさらに含む。
【００２１】
コントローラ１２２は、レコーディングシステム１２０のためのコントロールを提供し、システムのコンポーネントのうちの少なくともいくつかの間における連携を調整する。このコントローラは、当技術分野において知られているように、１つまたは複数のプロセッサ、マイクロプロセッサ、およびその他のコントローラを通じて実装することができる。システムメモリ１２４は、コントローラ１２２およびシステムのその他のコンポーネントによってアクセス可能な実行ファイル、プログラム、およびコントロールパラメータを格納し、ＲＯＭ（read only memory）、ＲＡＭ（random access memory）、ＥＰＲＯＭ（erasable programmable read-only memory）、フラッシュメモリ、光メモリ、取り外し可能なメモリ、ならびにその他のそのようなメモリおよび／またはメモリの組合せを含むことができる。
【００２２】
１つまたは複数の検知器は、オーディオ検知器１３０と、ビデオ記録用のイメージ検知器１３２を含むことができる。例えば、いくつかの実装形態におけるビデオ検知器は、光を感知するＣＣＤ（charge-coupled device）、ＣＭＯＳ（complementary metal-oxide semiconductor）、またはイメージを電子データとして記録するその他の電子センサである。検知器１３０、１３２は、コンテンツレコーディングデバイス１３４と結合しており、このコンテンツレコーディングデバイス１３４は、ポータブルレコーディングテープ（portable recording tape）、フラッシュメモリ、ポータブルレコーディングディスク（portable recording disk）、またはその他のそのようなメモリなど、１つまたは複数の記録可能なメディア１３６を含むか、またはそれらと結合している。コンテンツレコーディングデバイス１３４は、検知器１３０、１３２から検知されたソースメディアコンテンツを、記録可能なメディア内に記録するように指示する。
【００２３】
システム１２０は、位置検知デバイス１４０をさらに含み、この位置検知デバイス１４０は、メディアコンテンツが記録可能なメディア１３６へ記録される際に、システムの現在位置を検知する。この位置検知デバイスは、システム１２０内に組み込まれているものとして図示されている。しかし、いくつかの実施形態においては、位置検知デバイス１４０は、独立したデバイスであり、（例えば、入力ポート１６２を通じて）レコーディングシステム１２０と結合し、位置データをシステムに提供する。通常、位置検知デバイスは、コンテンツが記録されている間に、同時に位置データを無線で受信する。いくつかの実装形態においては、位置検知デバイスは、ＧＰＳ（global positioning satellite）デバイスであり、１つまたは複数の衛星から信号を受信して、そのＧＰＳデバイスの精度に応じてしきい値内で正確な地理的位置を割り出す。その他の類似の位置検知デバイスを利用することもできる。
【００２４】
位置検知デバイスは、コンテンツレコーディングデバイスとさらに結合しており、これによって、検知された地理的位置データ（例えば、緯度、経度、高度、およびその他のそのような位置データ）が記録される。別法として、および／または追加として、位置データは、以下でさらに説明するように、記録されたコンテンツと記録された位置データとを連携させるための、または関連付けるためのメディアコンテンツインデックスと共に、さらなるメモリ１６４内に記録することができる。場合によっては、位置データは、（例えば、ＭＰＥＧ２文字列、ＷＭＶ文字列、またはその他のそのようなフォーマットにおけるビットコード識別子（bit code identifier）を使用して）メディアコンテンツデータストリームに組み込まれ、メディアコンテンツデータストリームと混合され、および／またはメディアコンテンツデータストリームと多重化される。あるいは、位置データは、コンテンツと同じ記録可能なメディア上に、ただし、所定の位置に記録される。例えば、レコーディングメディアが磁気テープである場合には、位置データを記録するためにテープ上の別個のトラックを利用することができ、および／またはパラメータデータをコンテンツと混合することができる。別の例としては、レコーディングメディアがポータブルディスク（例えば、ＣＤ（compact disk）やＤＶＤ）である場合には、ディスクの中央付近の部分など、所定の部分を定義して、位置データを受け取り、その位置データをメディアコンテンツに関連付けるためにインデックスを付けることができる。
【００２５】
いくつかの実施形態においては、位置データは、ユーザによってさらに提供され、および／または離れた場所から入手される。例えばユーザは、（例えば、ユーザコントロール１４６を使用して、）位置（例えば、国、州（state）、州（province）、郡、都市、通り、所番地、関心のあるポイント、および／またはその他のそのような位置データ）を指定することができる。
【００２６】
通常、システム１２０はまた、時刻、および好ましくは日付（年月日）を追跡記録（track）するクロックまたはタイマ１４２を含む。いくつかの実装形態においては、位置検知システムが、正確なタイミングデータをさらに無線で受信することができる。このタイミングデータもまた、コンテンツデータと共に記録可能なメディア１３６および／またはさらなるメモリ１６４上に記録され、コンテンツに関連付けられる。
【００２７】
ユーザコントロール１４６によって、ユーザは、システム１２０を操作してコンテンツの記録を開始すること、ならびにオペレーティングパラメータ（例えば、記録の質、スピード、露出など）を設定すること、オペレーションのモード（例えば、記録、再生など）を設定すること、およびその他のそのようなコントロールを行うことができる。上述のように、ユーザコントロール１４６によって、ユーザは、さらなるデータ（例えば、位置データ、検索語、およびその他のパラメータデータ）をさらに入力することができ、それらのさらなるデータも記録され、記録されたコンテンツに関連付けられる。ユーザコントロールは通常、ユーザによって選択されるボタンである。いくつかの実装形態においては、ユーザは、入力ポート１６２のうちの１つを通じてレコーディングシステムに結合されているコンピュータ、携帯情報端末、またはその他のデバイスなどのリモートデバイスを通じてレコーディングシステム１２０にさらなるコントロールおよび／またはデータをさらに提供することができる。
【００２８】
コンパス方向検知デバイスおよび／または傾斜検知デバイス１６０は、コンテンツの記録中のコンパスの方向、および／または一定の基準からの（例えば、水平方向からの）傾斜を検知する。検知されたコンパスの方向および傾斜のデータは、位置データと共に記録される。コンパス方向検知デバイスは、位置検知デバイス１４０に組み込むこともでき、および／または記録用にコンパス方向データをシステムに提供する別個のデバイスとすることもできる。
【００２９】
入力出力ポート１６２によって、レコーディングシステム１２０は、その他の外部のデバイスと（直接またはネットワーク１８０を通じて）有線または無線で通信して、コンテンツ、データ、コントロール、および／またはその他の情報を受信および／または送信することができる。例えばレコーディングシステムは、メディアコンテンツを外部のメモリストレージ１８２へ導き、外部のデバイス（例えば、外部のコンピュータまたはサーバ１８４）からコントロール情報を受信し、記録されるさらなるコンテンツを検索し、その他のそのような通信を行うことができる。コンテンツを記録する際には、いくつかの実装形態においては、以下で十分に説明するように、パラメータデータに基づく、および／またはテンプレートに基づく優先順位に従ってコンテンツを記録することができる。
【００３０】
ユーザの生体測定パラメータおよび／または生理的なパラメータ、ならびに／あるいは居合わせている別の人の生体測定データ（例えば、記録されている対象の生体測定パラメータ）を検知するために、１つまたは複数のさらなるセンサ１６６をシステム１２０内に含むことができる。これらの生体測定パラメータは、心拍数、体温、手の水分／発汗レベル、目の動き、瞳孔拡張、およびその他のそのような生体測定パラメータを含むことができる。これらのパラメータは、同様にメディアコンテンツと共に記録され、コンテンツに関連付けられる。いくつかの実施形態においては、生体測定パラメータデータは、磁気テープのさらなるトラックなど、記録に対するさらなる「エモーショントラック（emotion track）」として記録される。このトラックを使用して、記録しているユーザまたは記録中に居合わせているその他の人の感情に基づいてコンテンツにインデックスを付けることができる。いくつかの実装形態においては、生体測定パラメータデータは、磁気テープ上でコンテンツと混合することができる。あるいは、生体測定パラメータデータは、別個のメモリ（例えば、別個のテープ、ディスク、フラッシュメモリ）上に保存することもできる。レコーダは、記録に関連して生体測定データにインデックスを付けることができる。いくつかのメモリデバイスは、副次的または二次的なメモリストレージをさらに含むことができる。例えば磁気ビデオテープは、補助的なフラッシュメモリチップを含むことができ、この補助的なフラッシュメモリチップは、レコーディングデバイスおよびテープを識別するために含まれ、使用することができ、生体測定パラメータデータおよび／またはその他のパラメータデータを保存するためにさらに使用することができる。
【００３１】
センサは、直接レコーディングデバイス１２０の一部とすることもでき、レコーディングデバイスとは別個のものとすることもでき、および／またはレコーディングデバイスと結合している外部のセンサとすることもできる。例えばセンサは、カムコーダ（camcorder）上の、ユーザがカムコーダを手に持つエリアに配置することができる。追加として、および／または別法として、レコーディングデバイスを操作している人以外の１人または複数の別の人が、１つまたは複数の外部のセンサを使用することができる。例えば、観衆の側で、撮影されている対象の側で、またはカメラマンの付近の人の側でセンサを使用することができる。外部のセンサは、レコーディングデバイスと有線または無線で結合することができる（例えば、Ｂｌｕｅｔｏｏｔｈやその他の類似のテクノロジーを介して通信することができる）。
【００３２】
生体測定データを記録する際には、記録されるメディアコンテンツの部分の関心度および／または重要度を判断することができる。例えば、記録されるビデオのうち、増加した心拍数に関連付けられた生体測定データを有する部分は、ビデオのこれらの部分が、コンテンツのその他の部分に比べて、より重要であり、より多くのアクションを含み、および／または感情的な影響がより大きいということを示す。追加として、および／または別法として、レコーディングデバイスおよび／または別個のバイオメトリックモニタリングデバイスは、記録されているイベントを重要なものとしてさらに識別するためにユーザによってアクティブ化されるトリガーまたはボタンを含み、ユーザによって始動されたトリガーをコンテンツと共に記録し、および／またはそのトリガーを当該コンテンツに関連付けることができる。以下でさらに十分に説明するように、これらの実施形態は、コンテンツを編成および／または優先順位付けする際に、記録された生体測定データを利用することができる。さらに、生体測定パラメータデータは、ユーザがコンテンツのうちで最も関連性の高い部分を見つける上で役に立つ。そのようなものとして、コンテンツを編成および／または編集する際に、ユーザは、コンテンツのうち、そのコンテンツの記録に関与した個人にとっておそらくはより高い関連性を有する部分に迅速にアクセスすることができる。上述のように、ユーザに表示される生体測定データのピークに基づいてコンテンツのインデックスを作成することができ、それによってユーザは、コンテンツのそれらの部分に迅速かつ容易にアクセスすることができる。生体測定上のピークは、いくつかの実装形態においては、記録に関与した人たちの感情に関連付けられているため、これらのピークと合致するコンテンツは一般に、より関連性の高いコンテンツであり、したがって生体測定インデックスは、ユーザがコンテンツを見つけ出し、編成し、および／または編集する上で役に立つ。
【００３３】
指紋検知器および／または網膜検知器など、その他のセンサ１６６をレコーディングデバイスと共に含むことができる。これらのセンサによって、レコーディングデバイスは、誰がそのレコーディングデバイスを操作しているかをさらに検知することができる。コンテンツのさらなる編成および識別を可能にするために、さらなるパラメータデータとしてレコーディングデバイスのユーザをさらに記録することができる。いくつかの実装形態においては、ユーザコントロール１４６を通じてオペレータのＩＤが入力される。レコーディングデバイスは、ユーザのＩＤをその他のパラメータデータと共に記録することができ、指紋およびユーザのＩＤをローカルメモリ上にさらに記録して、その後の検知用として保持することができる。
【００３４】
さらに他のセンサ１６６は、レコーディングデバイスの設定および／または状態をモニタおよび／または検知することができる。例えば、コンテンツが記録される際のズームのレベルを検知するズームセンサを含むことができる。コンテンツが、ズームインされたものであるか、ズームアウトされたものであるかを識別するために、ズームセンサに基づいてズームパラメータを使用することができる。同様にレンズセンサは、使用されているレンズのタイプを検知することができる。絞り値（F-stop）、スピード、およびその他の類似の状態など、その他の状態を、さらなるパラメータデータとして感知および／または記録することができる。別法として、および／または追加として、ユーザは、ユーザコントロール１４６などを通じて、このパラメータデータを入力することができ、および／またはレコーディングデバイスは、データを入力するようにユーザを促すことができる。
【００３５】
図２は、コンテンツを生成する際に使用するためのプロセス２２０の簡略化された流れ図を示している。いくつかの実装形態においては、このプロセスは、コンテンツおよびパラメータデータを記録するように構成されているレコーディングデバイス１２０やその他の類似のデバイスを通じて実装される。ステップ２２２において、このプロセスは、マルチメディアコンテンツの記録を開始する。例えばユーザは、デジタルカメラのシャッターを起動し、カムコーダの記録を始動することができ、システムは、自動化されたアクティブ化信号を検知することができ、このアクティブ化信号は、コンテンツの記録、写真やその他のイメージのデジタル走査、およびコンテンツのその他のそのような始動を開始する。ステップ２２４においては、テープ、ディスク、フラッシュメモリ、またはその他のそのようなメモリなどのメディアにコンテンツが記録される。
【００３６】
ステップ２２６においては、コンテンツが記録されている位置用の第１のパラメータデータが検知および／または測定される。例えば第１のパラメータデータは、位置パラメータ（例えば、緯度および／または経度）の検知とすることができる。ステップ２３０において、第１のパラメータデータは、メディア上に記録される。通常、ステップ２２６は、ステップ２２４と同時に開始される。さらにステップ２３０も、ステップ２２４と同時に行うことができ、あるいは別法として遅らせることもできる。ステップ２３０におけるパラメータデータの記録は通常、所定のフォーマットに従ってパラメータデータを記録することを含む。例えば、いくつかの実装形態においては、ステップ２３０は、パラメータデータとコンテンツデータとの多重化を含み、その一方でその他の実装形態においては、パラメータデータは、メディアの所定の位置に（例えば、別個のトラックに、ディスクの特定の部分に、コンテンツのヘッダまたは末尾として、およびその他のそのようなフォーマット設定で）記録される。いくつかの実施形態においては、ＩＦＤ（image file directory）を含めることなど、ＥＸＩＦ（Exchangeable Image File Format）などのヘッダとして、パラメータデータを組み込むことができる。さらに、ステップ２３０におけるパラメータデータの記録は、とりわけパラメータデータがコンテンツデータと共に（例えば、混合されて、ヘッダに、末尾に、またはその他のそのような配置で）直接記録されていない場合に、パラメータデータに関連してコンテンツにインデックスを付けることなど、パラメータデータとマルチメディアコンテンツとの関連付けを記録することをさらに含むことができる。さらに、パラメータデータの検知および記録は、ユーザによって入力された位置情報、検索語パラメータデータ、およびその他のデータなど、ユーザによって入力されたパラメータデータを含むことができる。例えば、レコーディングデバイス１２０内に保存されている標準のリストから国名を選択することができ、ならびに／あるいはユーザによって以前に入力および／またはアップロードされたユーザ定義のリストから都市名／エリア名を取ることができる。
【００３７】
ステップ２３２においては、プロセスは、記録すべきさらなるパラメータデータがあるかどうかを判定する。記録すべきさらなるパラメータデータがある場合には、ステップ２２６および２３０が繰り返されて、さらなるパラメータデータが検知され、記録される。さらなるパラメータデータは、コンパスの方向のパラメータデータ、水平方向からの傾斜のパラメータデータ、時間および／または日付のパラメータデータ、特定の位置情報のパラメータデータ（例えば、分かっている場合および／または割り出せる場合には、都市、州、国立公園など）、生体測定のパラメータデータ、検索語のパラメータデータ、ユーザによって入力されたデータ、およびその他のそのようなパラメータデータなど、任意の数の関連するパラメータを含むことができる。ステップ２２６および２３０は、検知および／または識別すべき任意の数のパラメータに関して繰り返すことができる。いくつかの実施形態においては、複数のパラメータに関するステップ２２６、２３０、および／または２３２が、（図２の破線で示されているように）並行して実行され、その他のパラメータの検知および記録には左右されない。さらに上述のように、ステップ２３０は、検知されたパラメータデータをコンテンツデータと多重化することを含むことができる。いくつかの実装形態においては、パラメータデータのうちのいくつかをコンテンツと混合することができ、その一方でその他のパラメータデータは、所定の位置に記録される。
【００３８】
さらに図２を参照すると、いくつかの実施形態においては、プロセス２２０は、任意選択のステップ２４０をさらに含む。このステップ２４０では、コンテンツとパラメータデータとのインデックスが作成され、このインデックスは、それぞれのコンテンツごとのそれぞれのパラメータデータが、その他のコンテンツのその他のパラメータデータに関連するように、パラメータデータのうちの１つに従って、記録されたマルチメディアコンテンツのそれぞれを列挙する。ステップ２４２においては、プロセスは、しきい値を超えるパラメータデータの変化が生じているかどうかを判定する。例えばプロセスは、位置パラメータデータが一定の量よりも多く変化しているかどうかをステップ２４２において判定する。
【００３９】
しきい値を超える変化がステップ２４２において検知された場合には、ステップ２４４に入り、このステップ２４４では、記録される次なるコンテンツが、新たなマルチメディアコンテンツとして識別される。次いでプロセスは、ステップ２２６へ戻って、新たなコンテンツ用のパラメータデータを識別する。この場合もやはり、ステップ２４２および２４４は、必要に応じて任意の数のパラメータに関して繰り返すことができ、および／または並行して機能することができるという点に留意されたい。ステップ２４２において変化が検知されなかった場合には、ステップ２４６に入り、このステップ２４６では、プロセスは、コンテンツが依然として記録されている最中かどうかを判定する。コンテンツが依然として記録されている最中である場合には、プロセスは、ステップ２４２へ戻る。コンテンツがもはや記録されている最中でない場合には、プロセスは終了する。
【００４０】
これらの実施形態はまた、ソースコンテンツとは無関係にパラメータデータを生成して、後からコンテンツに追加し、コンテンツと連携させ、および／またはコンテンツに関連付けることができる。例えば、広告（例えば、レストランの広告、ホテルの広告、またはその他のそのような広告）のメディアコンテンツを作成することができる。別の例として、ユーザは、コンテンツの記録中にパラメータデータを組み込む、または組み込むことができるレコーディングデバイスを有していないかもしれない。ユーザは、例えばインターネットサイト（例えば、位置情報を含むヨセミテ国立公園のウェブサイト）からの位置データ、リモートＧＰＳデバイスからの位置データ、またはその他の位置データにアクセスすることによって、後からパラメータデータにアクセスし、後から検索したそのパラメータデータをコンテンツに組み込む、および／または関連付けることができる。
【００４１】
いくつかの実装形態においては、パラメータデータは、コンテンツに対して、そのコンテンツに関する１つまたは複数の所定の位置に組み込まれる。例えばヘッダは、ソースコンテンツを定義するデジタルデータの部分の冒頭に添付することができる。ヘッダは、１つまたは複数の所定の予定されたフォーマットに従ってパラメータデータを含むことができる。例えば、ビットの最初の数字は、パラメータデータが存在するかどうかを定義し、ビットの２番目の数字は、経度を定義し、ビットの３番目の数字は、緯度を定義し、ビットの４番目の数字は、国を定義し、ビットの５番目の数字は、州（state）または州（province）を定義し、ビットの６番目の数字は、都市を定義し、ビットの７番目の数字は、通りを定義し、ビットの８番目の数字は、特定の所番地を定義し、ビットの９番目の数字は、郵便番号を定義し、ビットの１０番目の数字は、特定の場所（場所が、ビットコードを用いてあらかじめ定義されている場合には、ヨセミテ国立公園、ディズニーランド、およびその他のそのような場所など）を定義し、ビットの１１番目の数字は、場所のタイプ（例えば、国立公園、博物館、遊園地、史跡、特定のホテル、レストランのタイプ、およびその他のそのようなタイプ）を定義し、ビットの１２番目の数字は、日付あるいは（１つまたは複数の）一連の日付を定義し、ビットの１３番目の数字は、時間あるいは（１つまたは複数の）時間間隔を定義し、ビットの１４番目の数字は、傾斜を定義し、ビットの１５番目の数字は、心拍数を定義し、ビットの１６番目の数字は、手の水分を定義し、ビットの１７番目の数字は、関連付けられているコンテンツを定義し、ビットの１８番目の数字は、１つまたは複数の検索語を定義し、ビットのその他の数字は、その他のパラメータデータを定義する。これは、パラメータデータ用のフォーマットの一例にすぎない。これらのビットのグループ分けは、これらの実施形態の新規な側面から逸脱することなく、並べ替えることができ、変更することができ、および／またはその他のパラメータを定義するために使用することができるということが、当業者にとっては明らかであろう。
【００４２】
追加として、および／または別法として、データストリーム内の自然な切れ目または所定の切れ目でコンテンツの中間にパラメータデータを挿入することもできる。例えば、ビデオフレームどうしの間に、またはストリーム化されたデータの圧縮されたパケットどうしの間にパラメータデータを挿入することができる。いくつかの所定の標準化されたデータフォーマットにおいては、ユーザによって指定されるデータ用に確保されているエリア内にパラメータデータを保存することができる。この一例が、ＭＰＥＧ（Moving Pictures Experts Group）のストリーム仕様の一部である「プライベート」ストリームであろう。パラメータデータを集めて、データのリストを作成することもでき、このリスト内のそれぞれの要素は、データのタイプ（例えば、時間や緯度）、および関連付けられているデータ値を含む。データ要素は、任意の順序にすることができ、それぞれのリストは、関連するデータをすべて含むこともでき、あるいは、データが最後に記録されてから変化しているデータのみを含むこともできる。
【００４３】
その他のパラメータデータは、セキュリティーおよび／または感度（sensitivity）のレベルを含むことができる。例えばユーザは、風景の写真を広く配信することに対しては、より積極的であるかもしれないが、その一方で、人々の写真を広く配信することに対しては、より消極的であるかもしれず、それどころか、人々の写真の配信を制限したいかもしれない。そのために、感度パラメータをさらに含むことができる。この感度パラメータは、ユーザによって追加することができ、レコーディングデバイスは、レベルを入力するようにユーザに促すこと、または要求することができ、また、その他のそのような方法も可能である。
【００４４】
さらなるパラメータデータは、コンテンツのソースを含むことができる。例えば、コンテンツの最初の作成者を記録することができる。したがって、コンテンツが配信されている際に、そのコンテンツのソースを割り出すことができる。同様に、履歴パラメータを含むことができる。例えば、最初の作成者を記録することができ、そして、コンテンツを受信してそのコンテンツを転送したその他の個人のＩＤを提供して、ソースの足跡または軌跡を保持することもできる。履歴はさらに、コンテンツが編集および／または変更されたかどうかを識別することができる。またさらに、コンテンツを編集および／または編成する際に使用されるオーサリングプログラムを、履歴パラメータデータおよび／または独立したパラメータデータとして記録することもできる。その他の履歴パラメータデータを含むこともできる。
【００４５】
パラメータデータは、当該コンテンツに類似または関連しているその他のソースコンテンツから単に複製することもできる。この複製されたパラメータデータは、さらに変更および／または調整することができる。追加として、および／または別法として、ソースコンテンツは、パラメータデータを既に含んでいる、および／またはパラメータデータに既に関連付けられているその他のコンテンツに単に関連付けることができる。同様に、ソースコンテンツは、１つまたは複数のその他のコンテンツに関連しないことを単に明確にしておくこともできる。
【００４６】
図３は、パラメータデータを既存のコンテンツに組み込むおよび／または関連付けるためのプロセス３２０の簡略化された流れ図を示している。ステップ３２２においては、パラメータデータを含まない、または限られた量のパラメータデータしか含まないソースコンテンツが識別される。ステップ３２４において、プロセスは、そのコンテンツにパラメータデータが組み込まれるまたは関連付けられることになるかどうかを判定する。この判定は、パラメータデータを含めたいかどうかをユーザに尋ねることによって行うことができる。パラメータデータが含まれることにはならないと判定された場合には、プロセスは終了する。パラメータデータが含まれることになる場合には、プロセス３２０はステップ３２６に入り、このステップ３２６では、プロセスは、パラメータデータがその他のコンテンツから複製されることになるかどうかを判定する。パラメータデータが複製されることになる場合には、プロセスは、ステップ３２８に入って、パラメータデータの複製元となるその他のコンテンツのＩＤ（identification）を要求する。次いでプロセスは、複製されるコンテンツが変更されることになるかどうかをステップ３３０において判定する。複製されるコンテンツが変更されることにならない場合には、プロセスは終了する。複製されるコンテンツが変更されることになる場合には、ステップ３３２に入る。このステップ３３２では、変更が要求され、組み込まれる。
【００４７】
ステップ３２６において、パラメータデータが複製されることにならない場合には、プロセスは、ステップ３３４に入り、位置パラメータデータを要求する。位置パラメータデータは、単一の経度／緯度ペア、単一の位置、複数の経度／緯度ペアおよび／または位置、ならびにその他の位置情報を含むことができる。例えばコンテンツが、複数の位置を有するレストラン用の広告である場合には、位置パラメータは、それぞれのレストランの位置から所定の距離内にある複数の位置および／または領域を含むことができる。しかし、位置パラメータデータを追加しなければならないわけではなく、ステップ３３４をとばすことができる。
【００４８】
ステップ３３６において、プロセスは、タイミングパラメータデータを要求する。この場合もやはり、タイミングデータは、単一の時間、複数の時間、一連の時間とすることができる。例えばコンテンツは、特定のレストランでの朝食用の広告とすることができ、したがって、午前３：００から午前１１：００の間の時間に限定することができる。ステップ３４０において、プロセスは、日付パラメータデータを要求し、この日付パラメータデータもやはり、１つまたは複数の特定の日付または一連の日付とすることができる（例えば、冬におけるスキー用具のレンタルなど、広告が季節限定である場合）。ステップ３４２において、プロセスは、さらなるパラメータデータを要求する。
【００４９】
ステップ３４４において、プロセスは、対象のコンテンツがその他のコンテンツに関連付けられることになるかどうかを判定する。例えば対象のコンテンツは、所定の場所を既に訪れたことのある個人にとって関心のある場所とすることができる（例えば、ニューヨークのメトロポリタン美術館に関連付けられているコンテンツは、スミソニアン博物館のうちの１つまたは複数に関するコンテンツに関連付けることができる）。コンテンツが関連付けられることになる場合には、ステップ３４６に入り、このステップ３４６では、プロセスは、関連付けられているコンテンツを識別するように要求する。次いで、プロセスは終了する。パラメータデータ（コンパスパラメータデータ、傾斜パラメータデータなど）をさらに連携させるために、その他のステップを含むことができる。さらに、パラメータデータを入力するためのステップをとばすことができ、それによって、所望のパラメータデータのみを連携させることができる。
【００５０】
同様に、いくつかの実施形態は、ユーザによって入力され、抽出され、および／または第２のソースから検索される、検索語パラメータデータを含むことができる。検索語パラメータデータは、国立公園の名前、都市の名前、記念建造物の名前、遊園地の名前、住所、人の名前、およびその他のそのような用語を含むことができる。検索語パラメータデータを組み込むことによって、コンテンツを識別するために、ユーザはコンテンツをより容易に検索することができる。通常、ユーザは緯度を知らないであろう。しかしユーザは、都市の名前や国立公園の名前は知っている可能性が高い。多くの場合、これらの検索語は、一般的な言語の検索語（例えば、一般語で使用される特定の場所、人の名前、およびその他の類似の一般的な言語の用語）として保持される。したがって、検索語パラメータデータによって、ユーザはコンテンツにさらに容易にアクセスすることができ、および／またはコンテンツを同じ検索語または類似した検索語に関連付けることによって、自動化されたプロセスを通じてコンテンツを編成することができる。
【００５１】
場合によっては、検索語は、レコーディングシステム１２０によって生成される。例えばレコーディングシステムは、情報を無線で受信し、位置パラメータデータに基づいて用語を割り出し、データベースにアクセスして位置データを検索し、そのデータベースから検索語パラメータを抽出すること（例えば、ユーザの個人的なアドレス帳やその他のデータソースにアクセスし、現在の位置パラメータデータに基づいて「祖母の家」などの場所を識別すること）ができ、また、その他の類似の方法も可能である。レコーディングシステムは、日付を使用して時節の検索語（例えば「夏」）を組み込むことなど、その他のパラメータデータに基づいて、一般的な言語の検索語をさらに生成することができる。同様に、検索語をユーザによって生成することもできる。例えば、コンテンツの取り込みに続いて、レコーディングシステム１２０は、検索語パラメータデータをユーザが入力できるようにすることができ、および／または入力するようユーザに促すことができる（例えばユーザは、写真の中の個人の名前を入力することができ、場合によっては、レコーディングデバイスが、既にそれらの個人の名前を有しておくことができ、ユーザは、リストから（１つまたは複数の）名前を選択するだけでよい）。またさらに、これらの実施形態は、以前に記録されたコンテンツの検索語を使用し、現在記録されているコンテンツを、類似した検索語のコンテンツと関連付けることができる。
【００５２】
一般的な言語のパラメータデータ（common language parameter data）を記録する際には、レコーディングデバイスは、一般的な言語のパラメータデータを入力するようユーザに要求することができる。例えば、一般的な言語のパラメータを作成するために、ユーザに１つまたは複数の質問を行うことができる。あるいはユーザは、コンテンツの記録に続いて、「ジェーンの誕生日」などのパラメータデータを記録することなどの、入力（entry）を開始することができる。
【００５３】
これらの実施形態は、コンテンツを調整および／または編成して再生の提示または経験を提供するために、メディアコンテンツならびにパラメータデータ（例えば、位置データ、コンパス方向データ、タイミングデータ、センサデータ、および／またはその他のそのようなパラメータデータ）を利用する。実質的にあらゆるレベルの埋め込まれたパラメータデータを利用することができる。例えば、いくつかのコンテンツは、ＧＰＳ情報（経度、緯度、高度）、ならびにコンパスの方向および水平方向からの傾斜のデータを含み、および／またはそれらのデータにさらに関連付けられている。本システムは、コンテンツの部分どうしを区別するために、ならびにコンテンツをその他のコンテンツに対して関連付けるために、または関連しないようにするために、パラメータデータを少なくとも部分的に使用する。例えばユーザは、同じ記録可能なメディア１３６を使用して、複数の異なる場所での休暇からのコンテンツを記録すること、ならびにその同じ記録可能なメディアを使用して、さらに別個の場所でのイベント（例えば、誕生日パーティー）のためのコンテンツを記録することができる。位置およびその他のパラメータデータを利用する際には、これらの実施形態は、パラメータデータどうしの間における類似点および／または相違点に基づいてコンテンツを区別する。パラメータデータは、コンテンツの別々の部分を定義および／または識別するために使用される。コンテンツの部分どうしが区別されると、これらの実施形態は、パラメータデータ（例えば位置データ）をさらに使用して、コンテンツを編成し、編成されたコンテンツの出力の提示を生成する。
【００５４】
ビデオおよびマルチメディアコンテンツの編集は、時間がかかり、行うのが困難である。というのも、編集担当者は通常、コンテンツを分類しながら、そして関連する、関連しない、および重要なコンテンツおよびシーンを探しながら、１つの記録の全体および／または複数の記録にわたって検索を行わなければならないためである。これらの実施形態よりも前には、ビデオ編集ソフトウェアにとって、取り込まれたビデオのうちで最も関連性の高いシーンを示すための簡単な自動化された方法は、一般に存在しなかった。これらの実施形態を通じて提供されるパラメータデータを使用することによって、コンテンツの編成が簡略化され、ビデオの編集が、より迅速かつ容易になり、いくつかの実装形態においては自動化される。
【００５５】
編成されるメディアコンテンツは、ローカルおよび／またはポータブルな記録可能なメディア１３６から検索することができ、および／または代替ストレージへダウンロードすることができる。この代替ストレージは、場合によっては、さらなるメディアコンテンツを含むことができる。そして、メディアコンテンツの集合（例えばコンテンツライブラリ）のさまざまなパラメータデータが、お互いに比較されて、コンテンツが自動的に編成され、さらに、いくつかの実装形態においては、再生経験が自動的に作成される。これらの実施形態は、パラメータデータに従ってコンテンツを組み込む、または編成する、ならびに再生経験のためのナビゲーションコントロールを提供する編成構造またはテンプレートを採用することもできる。
【００５６】
コンテンツを編成する際には、パラメータのうちの１つまたは複数が使用されて、コンテンツが区別され、関連付けられる。例えば位置パラメータデータは、コンテンツを関連付けるために使用することができる。ユーザが休暇のコンテンツのために使用することを好む可能性があるためにバーチャルウォークスルーを作成する場合、売りに出ている新築住宅などの現実世界の場所を文書化する場合、およびその他のそのようなコンテンツなど、特定の位置の調査と共に相対的な位置の分析を適用することができる。写真、ビデオ、その他のメディアなどのマルチメディアは、一般的に、またはソースの入手場所に基づくテンプレートを通じて、ナビゲーション面で（navigationally）リンクされる。そして作成された出力は、「ウォークスルー」として再生するために自動的に提示することができる。このウォークスルーは、国立公園への訪問や新築住宅の見学を再現し、これによってユーザは、仮想の世界で森の小道を歩いたり、あるいは戸口を通って台所からダイニングルームへと移動したりすることができる。このタイプのバーチャルウォークスルーは、電子ゲームにおいて見受けられるが、完全に空想のものであるか、またはコストと時間のかかる方法で、ばらばらなソースから手作業で作成されるのが常である。
【００５７】
近接した位置の分析を使用して、位置データを用いて所定の許容誤差内でコンテンツを識別することができ、またそのようなコンテンツをお互いに同等とみなすことができ、同じパーティー、同じビーチ、同じ都市、郡、州などから入手されたメディアを迅速にまとめてグループ化することができる。この編成テンプレートは、ＧＰＳ座標、コンパスの方位、および／またはカメラの構え方によってメディアのインデックスを単に提供するために使用することもできる。ソースメディアコンテンツをそれらの近接した位置によってグループ化することによって、ユーザは、自分たちの再生経験にとって望ましい包括的な提示スタイルをさらに選択することができる。これに必要とされるのは、バーチャルウォークスルーよりもさらに少ない位置情報ですみ、例えば、簡単なＧＰＳ座標で事足りることができる。さらなる位置情報によって、強化されたソーティング（sorting）が提供され、方位および構え方によって、メディアの目録をさらに充実させることができる。
【００５８】
位置パラメータの分析など、パラメータデータの分析によって、周知の場所の増強を通じて、ソースメディアを、周知の現実世界の場所（例えば、遊園地、国立公園、博物館、およびその他のそのような周知の場所）へと自動的にソート（sorting）することができる。周知の場所は、場所の地理的なレイアウトに関してメディアコンテンツをさらに編成するための正確な位置情報（例えば遊園地に関しては、周知の乗り物やアトラクション）を含むことができる。この増強によって、ユーザはさらに、周知の場所に固有の入手されたコンテンツと共に機能する地理的に固有のスタイルを用いて再生経験を作成して、強化された自動的な再生経験を生成することができる。例えば、遊園地のアトラクションの絶対的な位置データを含む「ディズニーランドスタイル」を提供することができ、ユーザの入手したソースコンテンツを比較することによって、ユーザのコンテンツを、周知の現実世界の要素の位置に自動的に関連付けることができる。そしてこのテーマは、ユーザのソースコンテンツの全体、またはそのコンテンツの所定の部分にわたって拡張して、テーマパークでの休暇、国の記念建造物への訪問、博物館の見学、不動産の仮想見学、またはその他のそのような経験など、特定の再生経験を作成することができる。
【００５９】
これらおよびその他のスタイル、テンプレート、および技術はさらに、用途によって要求される程度まで実質的にいかなる順序でも組み合わされ、選別され、これらの実施形態によって提供される特定のスタイルを介して提示することができる。例えば、全体的なスタイルを、コンテンツをさらに編成する１つまたは複数のサブスタイルと共に利用することができる。
【００６０】
スタイルは、再生経験のナビゲーションやルックアンドフィール（look and feel）をさらに自動化する。スタイルは、多くの特徴、機能、およびコントロール、ならびにさらなるコンテンツ、音楽、背景、およびその他のそのような特徴を提供することができる。いくつかのスタイルは、再生ナビゲーションコントロール（例えば、早送りや巻き戻しなどのために表示される選択可能な「ボタン」）を配置し、表示される複数の写真またはスクリーンを定義し、背景のイメージとして何をどのように表示するかを定義し、リストおよび／またはインデックスを作成し、章を定義し、ナビゲーション経験のその他の詳細を定義する。通常、それぞれのスタイルは、出力再生経験を生成する上で異なっている。いくつかのスタイルは、コンテンツの間の継ぎ目を最小限に抑えたシンプルなインデックス付きのリストを提供するシンプルな編成スタイルである。その他のスタイルは、より複雑であり、より多くのナビゲーションコントロールを提供し、コンテンツをさらに連携させる。さらに他のスタイルは、時系列に基づく国立公園のバーチャルウォークスルーを提供することなど、コンテンツを完全に編成して連携させ、再生に影響を与える。
【００６１】
スタイルは、パラメータデータを利用して、コンテンツを編成する。コンテンツの優先順位は、使用されているスタイルによって左右される。いくつかのスタイルは、時間パラメータよりも位置パラメータに基づいてコンテンツを編成し、その一方で、その他のスタイルは、位置データよりも高い優先順位としてタイミングデータを使用する。またさらに、パラメータのサブセットに基づいてコンテンツの編成をさらに評価することができ、例えば位置パラメータの場合には、いくつかのスタイルは、１マイル（約１．６ｋｍ）の範囲内で記録されたコンテンツに基づいて編成を行う。同様に、時間パラメータの場合には、同じ日に記録されたコンテンツによってコンテンツをさらに編成することができる。
【００６２】
いくつかの実装形態によって、ユーザはさらに、スタイルを変更すること、作成すること、および／または定義することができる。所定のルールが提供され、ユーザは、パラメータデータに基づいてそれらのルールから選択を行って、所望のスタイルを生成することができる。いくつかのルールは、さらなるコンテンツや外部のコンテンツをさらに関連付けることができる。いくつかの実施形態におけるスタイルの作成は、ユーザの好みをさらに追跡記録して、スタイルを作成する際のルールの選択を予想する（例えば、夏の間に記録されたコンテンツには黄色の背景を利用するという傾向を認識する）。さらに、ユーザの年齢やユーザのプロフィールを使用して、利用可能なルールおよび／またはスタイルの数および／またはタイプを制限することができる。
【００６３】
これらの実施形態は、コンテンツを優先順位付けおよび／または編成する際に、生体測定パラメータデータをさらに利用することができる。家庭でのビデオの編集は、一般に時間がかかり、行うのが困難である。というのも、編集担当者は、重要なシーンを探しながら、記録の全体にわたって検索を行わなければならないためである。しかしこれらの実施形態は、少なくとも部分的には、記録されたコンテンツのうちで、より関連性の高いおよび／または重要なシーンまたは部分を識別して、ビデオの編集を簡略化するために、利用可能な場合には、生体測定データを利用する。エモーショントラックに基づいてコンテンツにインデックスを付けることによって、ユーザは、コンテンツのうちで、より多くの関連性および／または重要性を有する可能性のある部分を迅速に見つけ出すことができ、ビデオの編集をより迅速かつ容易にすることができる。同様に、関心のあるポイントを識別する際に、コンテンツのオーディオレベルの変動を任意選択で使用することもできる。例えば、サッカーやフットボールの試合などの試合におけるオーディオレベルは、コンテンツのうちで、より関心の高い部分を示すことができる。
【００６４】
図４は、パラメータデータに基づいてメディアコンテンツを編成する、ならびに／あるいはテンプレートおよびスタイルに従ってメディアコンテンツを組み込むいくつかの実施形態によるシステム４２０の簡略化されたブロック図を示している。このシステムは、コンピュータまたはその他の処理デバイス４２２を含み、このコンピュータまたはその他の処理デバイス４２２は、中央処理装置４２４（例えば、マイクロプロセッサ）、入力および出力ポート４２６、ならびにメモリ４３０を含む。ポート４２６を使用して、レコーディングシステム１２０、パラメータ測定デバイス（例えば、別個のＧＰＳデバイス）、ユーザ入力デバイス、およびその他のそのようなデバイスと結合することができる。コンピュータ４２２は、外部メモリ４３４、およびネットワーク１８０とさらに結合して、リモートメモリ１８２、および／またはサーバ、コンピュータ、メディアレコーディングデバイスおよび／またはメモリ、ならびにその他のそのようなデバイスなど、その他のデバイス１８４とさらに結合することができる。コンピュータ４２２は、レコーディングデバイス１２０内に組み込むことができる。あるいはコンピュータは、ポータブルレコーディングメディア（例えばＤＶＤ）を受け入れ、および／またはシステム１２０などのメディアレコーディングシステムと結合して、記録されたメディアコンテンツおよび／またはパラメータデータを受け入れること、および／または検索することができる。それらのメディアコンテンツは、ローカルメモリ４３０、外部メモリ４３４、および／またはリモートメモリ１８２内に保存される。これらのメモリは、コンピュータによってアクセス可能なメディアコンテンツのデータベースを含むことができる。いくつかの実施形態においては、システム４２０は、ディスプレイまたはモニタ４４０をさらに含み、そのディスプレイまたはモニタ４４０の上に、マルチメディアコンテンツ、コンテンツの編成を実施するためのユーザインターフェース、およびその他のそのような情報を表示することができる。
【００６５】
図５は、いくつかの実施形態による、メディアコンテンツを編成する際および／または再生経験を作成する際に使用するためのプロセス５２０の簡略化された流れ図を示している。複数のメディアコンテンツが、はじめにステップ５２２において検索および／または受信される。これらのメディアコンテンツは、例えば、複数の異なる場所で撮影されたビデオおよび／または写真（例えば、スキーリゾートで記録されたコンテンツ、遊園地で記録されたコンテンツ、国立公園で記録されたコンテンツ、ビーチで記録されたコンテンツ、記念建造物で記録されたコンテンツ、およびその他のそのようなコンテンツ）とすることができる。それぞれのコンテンツは、別々の地理的な、位置の、時間の、生体測定の、および／またはその他のパラメータデータをさらに含む、および／またはそれらのパラメータデータに関連付けられている。ステップ５２４において、メディアコンテンツのそれぞれが、位置の、時間の、およびその他のパラメータデータなどのパラメータデータに基づいて解析および分析される。いくつかの実装形態においては、パラメータデータは、メディアコンテンツに組み込まれ、その一方で、その他の場合には、パラメータデータは、別に保存されて、メディアコンテンツに関連付けられる。
【００６６】
コンテンツを解析する際には、分析をさらに実行して、さまざまな編成ソースおよび／またはマトリックスに関して受信データに相互にインデックスを付けることができる。一意のパラメータデータに基づいて、受信ソースのサブストリーム部分をさらに識別および／または分類することができる。位置に基づく情報は、１つまたは複数の所与のコンテンツまたは資産の再生中に変動する可能性があるため、サブストリーム部分の解析が重要になることがある。これによって、受信ストリームのうちの時間に基づく部分ごとに関連性をマッピングすることができ、そしてこれを、例えば近接性や、その他のソースに対する位置などに基づいて後から比較することができる。いくつかの実装形態においては、ステップ５２４の解析は、同じ一式のソースを別々の基準に従って表示することをユーザが選択した場合にソースを迅速にソートできるようにするために、およびより長いソースをそれらのパラメータデータに基づいてより小さなソースへと分割するメカニズムを可能にするために実行される。
【００６７】
ステップ５２６において、ソースコンテンツが、一般的なまたは共有されたメモリまたはデータベース（例えば、外部メモリ４３４および／またはリモートメモリ１８２）へアップロードされることになるかどうかが判定される。コンテンツがアップロードされることになる場合には、ステップ５３０に入り、このステップ５３０では、コンテンツが代替メモリに記録される。ステップ５３２においては、プロセスは、さらなるメディアコンテンツが、ローカルメモリ４３０、外部メモリ４３４、および／またはリモートメモリ１８２などのメモリから検索されることになるかどうかを判定する。このステップにおいては、プロセッサ４２４は、さらなるコンテンツが検索されることになるかどうかを判定するための命令をユーザから受け取ること、および／またはそうした命令をユーザに要求することができる。さらなるコンテンツが検索されることになる場合には、ステップ５３４に入り、このステップ５３４では、さらなるコンテンツが検索される。
【００６８】
ステップ５４０において、プロセスは、所定のスタイルまたは編成が定義または選択されているかどうかを判定する。スタイルが選択されていない場合には、システムは、ステップ５４２においてデフォルトのスタイルを採用する。あるいはステップ５４４において、プロセス５２０は、所望のスタイルを検索する。場合によっては、システムは、リモートメモリ１８２および／またはリモートサーバ１８４（例えば、遊園地によって運営されていて、遊園地に固有のスタイルを提供するサーバ）にアクセスして、スタイルを検索する。遊園地、国立公園、国の記念建造物、博物館、およびその他のそのようなスタイル提供元などのスタイル提供元は、スタイルにアクセスすること、および／またはスタイルを販売すること（例えば、ユーザがその場所にいる間にＤＶＤとして直接購入すること、および／またはリモートメモリからダウンロードすること）を可能にすることができる。スタイルは、さらなる蔵出し映像（stock footage）（例えば、遊園地に関する歴史）、ナレーション、音楽、特殊効果、ナビゲーションコントロール、ならびにその他のそのような特徴および機能を提供することなど、作成された再生経験を増強できるさらなるコンテンツを含むことができる。
【００６９】
ステップ５４６において、パラメータデータ（例えば、位置データ、時間データ、コンパスデータなど）に基づいてコンテンツを編成するために、および／または再生経験を作成するためのスタイルに関連付けられている、またはそのスタイルと共に提供されるさらなるコンテンツを含めるために、スタイルが利用される。さらに、ステップ５４６においては、コンテンツ、パラメータデータ、スタイル、ならびに／あるいはコンテンツを編成するために、およびユーザが再生をコントロールできるようにするためのナビゲーションコントロール（例えば、ＤＶＤの再生コントロール、メニュー、章の識別子、およびその他のそのようなナビゲーションコントロール）を含めるためにユーザによって行われた入力に基づいて、コントロール機能、ナビゲーション機能、タイトルおよび章の識別子、メニュー、サブメニュー、インデックス、ならびにその他のそのようなコントロールおよび編成を再生経験内に組み込むことができる。ステップ５４６において、ユーザは、コンテンツをさらに調整すること、さらなるコンテンツを追加すること、コンテンツを削除すること、およびさらなる変更を行うことができる。一例としては、ステップ５４６において、位置データに基づいて複数のコンテンツを編成することができる。スタイルは、コンテンツの収録を、所定の場所の範囲内に収まる位置データを有するコンテンツだけに限定することができ、および／または所定の位置情報に従ってコンテンツを編成することができる（例えばスタイルは、国立公園の領域に関する位置情報を定義しておき、それらの指定された領域内に収まる位置データを有するコンテンツを利用する）。同様に、より大きな場所の中の特定の位置に基づいてコンテンツをサブメニューへと連携させたり関連付けたりすることができる（例えば、遊園地のうちの１つの部分からのコンテンツを、遊園地のメニュー内のコンテンツのサブメニューに従って編成することができる）。識別されたコンテンツは、生体測定パラメータデータや時間／日付のパラメータデータなど、その他のパラメータデータに基づいてさらに編成および／または優先順位付けすることができ、その他のパラメータデータは、コンテンツを優先順位付けおよび／または編成する際に使用することができる。一つには、スタイルは、コンテンツを編成するためのテンプレートを提供し、コンテンツに埋め込まれている、またはコンテンツに関連付けられているパラメータデータを使用することは、スタイルの編成に基づいて再生経験の作成を自動化する上で役に立つ。
【００７０】
ステップ５５０において、メディアコンテンツの再生経験が、ユーザによる検討用として出力される。ステップ５５２において、プロセスは、出力された再生経験がユーザによって受け入れられるかどうかを、通常はユーザからの入力を待って判定する。ユーザがその再生経験を受け入れる場合には、プロセスは、ステップ５５４においてその再生経験を記録し、終了する。あるいはプロセスは、ステップ５４０へ戻って、コンテンツを編成する際に別のスタイルを利用する。
【００７１】
上述のように、いくつかの実施形態は、編成に基づいて、および／またはパラメータデータに基づいて、メディアコンテンツの１つまたは複数のインデックスを作成する。いくつかの実装形態においては、例えば生体測定パラメータデータを使用して、より関連性の高いおよび／または重要なコンテンツ（例えば、記録されたシーン）を識別するインデックスが作成される。これらのインデックスによって、ユーザは、ビデオのうちで、より重要である可能性の高い領域をより容易に識別することができる。生体測定パラメータデータは、しきい値に基づいてインデックス付けまたは格付けすることができ、そのしきい値は、例えば最も高い生体測定レベル（例えば最も高い心拍数）によって定義することができ、コンテンツは、その最も高いレベルに対する比率または比較に基づいてインデックス付けされる。
【００７２】
インデックス付けされると、コンテンツは、インデックス付きのリストとしてユーザに提示することができる。あるいは、コンテンツの時間軸を表示することができ、より高い生体測定パラメータデータを有する領域を強調表示または識別することができる（例えば、別々の色を使用して、心拍数の異なる領域を区別することができる）。ユーザは、１つのレベルを選択し、ビデオのうちで、その選択したレベルよりも高い生体測定パラメータを有する部分のみを再生させることができ、これによってユーザは、それらのシーンを識別して、使用すること、保持すること、および／または編成することができる。さらに、強調表示された部分に基づいて、ユーザは、どの部分を再生経験から除外するかを決定することができる。
【００７３】
ユーザによる対話がまったく必要とされない、または限られた量しか必要とされない自動化された方法で迅速にメディアコンテンツが編成され、および／または経験が作成されるため、ユーザは、再生経験を変更するための代替スタイルを迅速に選択して、ユーザの所望の結果をかなえる出力再生経験を実現することができる。追加として、および／または別法として、ユーザが再生経験を調整および／または操作することができるようにステップ５４６を構成することができる。例えばユーザは、コンテンツを経験内に手動で組み込むことができ、コンテンツの編成を手動で変更することができ、またその他のそのような操作を行うことができる。したがって、これらの実施形態は、コンテンツの再生経験の作成を合理化および自動化し、それによってユーザは、専門家レベルの経験を作成し、最も満足できる最終経験を決定するまで、提示スタイルどうしの間で迅速に変更を行うことができる。同様に、ステップ５４６は、ユーザが副次的な編成スタイルおよび／またはテンプレートを定義できるようにすることができる。例えば、ステップ５４６においてコンテンツを処理および編成している間に、プロセス５２０を繰り返すためのサブプロセスを開始することができ、これによって、全体的なメインスタイルの中で別のスタイルまたは代わりとなるスタイルにおいて、コンテンツのサブセットを編成することができる。例えば、一般に時間および位置に基づいて再生経験を作成する休暇スタイルを利用することができる。休暇スタイル内で、国立公園から得られた国立公園スタイルを使用して、その国立公園スタイルに従って国立公園に関連する休暇のコンテンツをさらに編成することができる。さらにステップ５４６においては、ユーザは、現在の再生経験を、以前に作成されたその他の再生経験に関連付けるおよび／または組み込むことができる。
【００７４】
スタイルは、コンテンツに編成を提供し、メディアコンテンツに連携させるおよび／または組み込むことができるさらなるコンテンツを提供することができ、結果として出力された再生経験のためのナビゲーションをさらに提供することができる。スタイルは、ユーザによって作成することができ、もっぱら位置パラメータデータに基づくことができ、コンテンツの一式の再生を定義することができ、コンテンツを連携させることができ、それによって再生は、スタイル、ならびに／あるいはその他のそのような編成機能、ナビゲーション機能、および／またはコントロール機能によって定義された連携に従ってユーザによってコントロールされる。
【００７５】
一例としては、スタイルは、位置パラメータデータに基づいて関連していると定義される複数のコンテンツ（例えば、すべてのコンテンツが単一の家や単一の遊園地から撮影されている場合や、その他のそのような関係）から位置パラメータデータを抽出することができる。スタイルは、識別された場所に関連付けられているすべての位置パラメータデータに基づいて、エリアの境界線、レイアウト、または間取り図（例えば、家の間取り図や、遊園地のレイアウト）を定義することができる。追加として、および／または別法として、スタイルは、例えば遊園地、国立公園、博物館、またはその他のそのような事業体によって提供された時点で、既にレイアウトを含んでいることができる。
【００７６】
図６は、位置、コンパス、傾斜、進行方向、およびその他のそのようなパラメータを使用することによって複数の部屋６２１〜６２６を画定する、スタイルによって作成された家の間取り図６２０の簡略化されたブロック図を示している。いくつかの実施形態においては、レコーディングシステム１２０は、壁などの境界までの距離を測定する測定検知器をさらに含み、測定値をメディアコンテンツと共に保存する。追加として、および／または別法として、正確な測定値を後から追加して、作成された間取り図６２０を調整することができる。同様に、レイアウトのさらなる詳細を後から追加すること（例えば、押し入れを識別すること、さらなる物置を識別すること、ナレーションを追加することなど）ができる。
【００７７】
コンテンツに従ってレイアウト６２０が定義されると、それぞれのコンテンツ（例えば、それぞれの部屋ごとのコンテンツ）は、ごく近くの範囲内にあるその他のコンテンツ（例えば、隣接する部屋のコンテンツ）に関連付けることができる。そのようなものとして、再生は、ユーザがその再生を仮想見学としてコントロールできるようにする。ユーザは、再生中にレイアウトに関する進行方向を選択し、コンテンツの関連付けは、現在のコンテンツの位置パラメータデータ（例えば、第１の部屋６２１の３６０度のビデオ）と、仮想上のレイアウト内の選択された進行方向（表示されているコンテンツの右、左、上、下に関するコンパスの方向）とに基づいて、どのコンテンツが次に表示されるかを決定する。これは、いくつかの実施形態においては、第１のコンテンツ（例えば、第１の部屋６２１）を第２のコンテンツ（例えば、第２の部屋６２２）に、それぞれ左右の移動６３０に関して関連付けることによって実施される。同様に、第１のコンテンツ（例えば、第１の部屋６２１）と、第３のコンテンツ（例えば、第３の部屋６２３）とを、それぞれ相対的な上下の移動６３２によって関連付けることができる。その他のそのような関連付けを利用して、仮想見学および／またはその他のコントロール（例えば、北および南への移動、あるいは東および西への移動）を提供することができる。
【００７８】
その他のスタイルは、その他のレイアウトおよび／またはコンテンツの編成を提供することができる。同様の例として、いくつかのスタイルは、ルートメニューからユーザをスタートさせる仮想見学または家の再生スタイルを提供することができ、このルートメニューによって、ユーザは特定の部屋を選択することができる。次いでこのスタイルは、その選択に基づいてサブメニューを定義するようにコンテンツを編成することができ、そのサブメニューは、選択された部屋の複数の部分のさまざまなイメージ、および／または３６０度ぐるっと回して撮影したその部屋の映像を表示する。家の再生スタイルの別の例は、アドベンチャーゲームスタイルのビューをユーザに提供することができ、このビューは、すべて静止画像またはぐるっと回して撮影した映像を通じて行われ、ユーザは、コントロールインターフェース（例えば、ジョイスティック、マウス、キーボード、またはその他のそのようなインターフェース）に手を伸ばして、１つの部屋から別の部屋へと空間内で左右に舵を取ったり、曲がったり、あるいは前後に移動したりすることができる。
【００７９】
さらなるスタイルおよび／またはテンプレートを構成して、コンテンツの位置データに基づいて地図を作成することもでき、あるいは（例えば、インターネットを介して）地図を検索することもできる。コンテンツは、地図に関連付けて、その地図に従って編成することができる。地図を表示して、さらに選択可能にすることができ、それによってユーザは、地図の１つの部分を選択することができ、地図のその部分に関連付けられているコンテンツが検索される。同様にユーザは、（例えば、矢印キーまたはマウスを使用して）地図の中を移動することができ、地図のうちの見学した部分に関連付けられているコンテンツを表示することができる。地図は、ローカルな地図（例えば、家の地図、遊園地の地図）とすることもでき、あるいは都市、州、国、または世界の地図など、より一般的な地図とすることもできる。地図どうしを関連付けることができ、それによって、例えばユーザが、第１の国に関連付けられているコンテンツを見ていて、次いで第２の国に関連付けられているコンテンツを見た際に、世界地図を表示して、新たなコンテンツに関連付けられている第２の国を強調表示することができ、次いで第２の国の地図を表示して、第２の国の中でそのコンテンツに関連付けられている場所を強調表示することができる。マッピングのこの詳細度は、別々の場所に関連付けられているコンテンツの量によって決定することができる。いくつかの実装形態においては、地図をディスプレイの一方の側に表示して、コンテンツがディスプレイの他方の側に表示されている間に、場所を強調表示することができ、および／またはユーザが場所を選択できるようにすることができる。
【００８０】
スタイルは、再生を、複数のコンテンツの継続的な再生であると定義することができる。別法として、および／または追加として、スタイルは、コンテンツが再生されることになる仮想見学および／またはウェブの閲覧による対話がユーザの選択（例えば、ポインタを左または右へ動かすこと）に基づくことなど、よりインタラクティブな再生を提供することができる。いくつかの実装形態においては、スタイルは、例えば、再生経験を作成して、車による仮想見学（driving virtual tour）に関する予想される進行方向など、予想される再生に基づいて連続したＧＰＳ上の位置に従ってコンテンツファイルをＤＶＤディスク上に記録することによって、コンテンツの予想される再生に従ってコンテンツを編成する。スタイルは、予想される運転速度に基づくタイミングなど、データと共にタイミングを含むことさえできる。再生は、予想された時間にユーザが特定の位置に達していない場合には停止するために、および／または再生の予想された時間よりも前にユーザがある位置に達している場合には開始するために、ユーザによってさらに無効にすることができる。そのような編成されたコンテンツの再生は、予想されたタイミングに基づく再生には限定されず、むしろ再生デバイスの位置を割り出して、実際の位置に基づいて再生をコントロールしようと試みる。しかし、予想されたタイミングと共に記録されたコンテンツは、位置パラメータデータを使用する機能を有していない（例えば、位置を割り出すことができない、あるいはメタデータに基づいて再生を割り出すことができない）再生デバイスと共に使用することができる。その他のスタイルにおいては、コンテンツは、同じ写真または類似した写真の時間軸またはタイムラップ（time lap）を提供することができる。一例としては、祖母の家で撮影されたクリスマスの写真を時間軸に沿って編成すること、あるいは写真に順次連続してアクセスしてタイムラップを表示するように編成および関連付けされている学校の写真など、同じ位置パラメータデータを有するコンテンツを時間によって編成し、順次連続して再生して、同じ写真または類似した写真のタイムラップバージョンを提供することができる。
【００８１】
場合によっては、コンテンツの編成は、ファイルの構造および／またはコンテンツの、インデックスまたはリストをさらに作成する。インデックスは、コンテンツの順序または再生デバイスの位置を問わずに、ユーザによって利用することができる。さらにユーザは、パラメータデータを使用できない再生デバイスを用いて再生を開始するためにインデックスを使用することができる。さらにインデックスは、インデックスを検索して再生用のコンテンツを選択するための再生パラメータデータを提供する再生デバイスによって使用することができる。例えば、それぞれのタイトルまたは章は、関連付けられている位置など、関連付けられているパラメータデータを含み、コンテンツは、それらのタイトルおよび章によってインデックス付けされる。インデックスおよび／またはリストは、より的を絞ったコンテンツにユーザがアクセスできるように、階層の状態で編成することができる。またさらに、いくつかの実装形態におけるインデックスは、そのインデックスに関連付けられているコンテンツが同時に表示されている間に表示することができる。例えばインデックスは、ディスプレイスクリーンの左側に表示することができ、その一方で、コンテンツは右側に表示される。ユーザは、インデックス内をスクロールすることができ、関連付けられているコンテンツを表示することができる。
【００８２】
上述のように、編成システム４２０によって利用されるスタイルは、遊園地、国立公園、およびその他の提供元など、サードパーティーから入手することができる。これらの実施形態は、遊園地など、企業、組織、または個人によって、さらなる収入の流れとして顧客へ販売するための個人的な再生経験を作成するためにさらに採用することができる。これらの実装形態においては、このシステムは、例えば特定の顧客にとって個人的な再生経験を作成するために、遊園地によって利用することができる。遊園地は、顧客がその遊園地のいたるところで１つまたは複数の乗り物に乗っている際に、その顧客のマルチメディア映像を取り込むことができる。乗り物は、スキャナを含むことができ、これによって顧客は、自分のチケット上のバーコードをスキャンすることができ、したがってシステムは、いつその顧客が乗り物に乗っているかが分かる。顧客が乗り物に乗っている際に、乗り物の周囲に配置されているカメラが、その乗り物のイメージ／ビデオを記録する。コンテンツは、そのコンテンツを顧客に関連付けるパラメータデータを含む。その日の終わりに、遊園地は、例えば顧客のチケット上のバーコードを再び読み取って、その顧客に関連付けられているコンテンツをスタイルに基づいて収集して編成することによって、遊園地でのその顧客の１日の再生経験をその顧客に提供することができる。さらに、この再生経験は、例えばその顧客の１日の時間軸に基づいて、その顧客の１日にとってあつらえたものとすることができる。
【００８３】
図７は、顧客用の再生経験を作成するためのプロセス７２０の簡略化された流れ図を示している。このプロセスは、このプロセスを採用する企業にとって、さらなる収入の流れを提供することができる。例えば遊園地は、その遊園地での顧客の１日の再生経験を含む割り増し料金のチケットを販売することができる。別法として、および／または追加として、遊園地は、顧客がその遊園地を去る際に、販売のために再生経験を提供することができる。同様に遊園地は、別々のレベルの再生経験を提供することができる。例えば、第１の料金を支払う一部の顧客には、トラッキングデバイス（tracking device）を提供することができ、このトラッキングデバイスによって、遊園地のあちこちに散在している多数のカメラは、顧客の大量のコンテンツ映像を撮影することができる。その他の顧客は、代わりにより安い第２の料金を支払って、特定の限られた数の乗り物に乗っている間および／または特定の限られた数のアトラクションを見ている間の自分たちのコンテンツ映像を受け取ることができるだけである。遊園地は、再生を作成する際に別々のタイプのスタイルをさらに採用することができ、価格は、そのスタイルに基づくことができる（例えば、シンプルな時系列の再生経験は、テーマ音楽、ナレーション、および追加コンテンツを伴う再生経験を作成するさらに詳細なスタイルよりも安い価格にすることができる）。
【００８４】
図７をさらに参照すると、ステップ７２２において、顧客の位置が検知される。位置の検知は、任意の数の方法を通じて達成することができる。例えば顧客は、乗り物に乗る前に自分のチケットをスキャンすることもでき（例えば顧客のチケットは、光学的に検知される一意のバーコードを含み）、無線通信トラッキングデバイスを顧客に提供することもでき、顧客の無線電話を登録して、追跡記録に際して使用することもでき、その他のそのような方法を使用することもできる。場合によっては、プロセス７２０を採用する遊園地またはその他のユーザは、複数の検知器を利用して、進行方向を割り出すこと、より正確な位置を求める三角測量、およびその他の利点を提供することができる。
【００８５】
ステップ７２４において、プロセスは、コンテンツが記録されるべきかどうかを判定する。いくつかの場合には、顧客の位置が検知されると記録が開始されるが、その他の場合には、記録を遅らせるか、または阻止することができる。例えば、記録するのが望ましいエリアに顧客がいないかもしれず、記録が開始される乗り物上の所定の位置（例えば、ジェットコースターで急降下を通り過ぎる直前の位置）に顧客が到達するまでに時間の遅延があるかもしれず、一部の顧客は、映像を得るための支払いを済ませていないにもかかわらず、自分のチケットをスキャンしたかもしれず、顧客が支払う金額に応じて異なるレベルの記録が存在することもでき、また、記録が開始および／または継続されるべきかどうかを判定する際のその他のそのような基準も可能である。コンテンツが記録されることにならない場合には、プロセス７２０は終了する。コンテンツが記録されることになる場合には、プロセスは、ステップ７２６へと続き、このステップ７２６では、メディアコンテンツおよびパラメータデータの記録が開始および／または継続される。パラメータデータは、実質的にあらゆる適切なパラメータデータを含むことができ、それらの適切なパラメータデータとしては、顧客ＩＤ（例えば、チケット番号、送信機のＩＤ、携帯電話のＩＤ、あるいはその他の何らかのＩＤ）、時間、日付、位置、進行方向、関連付けられているコンテンツ、およびその他のそのようなパラメータデータが含まれるが、これらには限定されない。
【００８６】
ステップ７３０においては、顧客が遊園地を出ようとしていて、再生経験を要求しているかどうかを判定することなど、再生経験が作成されることになるかどうかが判定される。再生経験が作成されることにならない場合には、プロセスは、ステップ７２２へ戻る。再生経験が作成されることになる場合には、ステップ７３２に入り、このステップ７３２では、再生経験の作成対象となる顧客が識別される（例えば、チケットをスキャンすること、顧客のＩＤを入力すること、顧客のトラッキングデバイスを使用すること、およびその他のそのような方法も可能である）。ステップ７３４においては、コンテンツライブラリが検索および／または解析され、顧客に関連付けられているコンテンツが識別される。コンテンツライブラリは、顧客に関連付けられているコンテンツのコピーが、そのコンテンツに関連付けられているそれぞれの識別された顧客ごとに別個のディレクトリ内に保存されるように編成することができる。いくつかの実装形態においては、コンテンツは一般に、顧客のためのコンテンツがどこに配置されているかを識別する顧客ＩＤ用に作成されるインデックスと共に保存することができる。複数の異なる顧客に関して同じコンテンツを保存しなければならない可能性がある場合に、何人かの顧客が同じメディアコンテンツ映像内に含まれる（例えば何人かの異なる顧客が、１つの乗り物に同時に乗っている）可能性があるため、インデックスを使用することによって、保存する量が少なくなり、また、その他のそのようなストレージの構成、スキーム、および／または組合せを利用することもできる。
【００８７】
ステップ７３６において、複数のスタイルが利用可能である場合に、再生経験のスタイルが識別される。遊園地、あるいはプロセス７２０のその他のユーザは、さまざまな顧客に対していくつかの異なるスタイルを有することができる。これらのスタイルは、再生経験を高めるために、顧客に固有のコンテンツと共に、追加の映像、情報、音声、音楽、オリエンテーション、およびその他のそのようなコンテンツを含むことができる。例えば子供と大人では、異なるスタイルが存在することができる。同様に男の子と女の子では、異なるスタイルが存在することができる。さらに遊園地は、いくつかの異なるスタイル（例えば、異なるテーマ、ＢＧＭ、背景色、コンテンツの提示の仕方、およびその他のそのような特徴）を有することができ、そこから顧客は、所望のスタイルを選択することができる。
【００８８】
ステップ７４０において、識別された顧客に固有のコンテンツが検索される。ステップ７４２において、プロセスは、さらなるコンテンツが組み込まれることになるかどうかを判定する。いくつかの実装形態においては、遊園地は、顧客の記録したさらなるコンテンツを顧客が再生経験内に追加できるようにすることができる。例えばユーザが、コンテンツおよびパラメータデータを記録するレコーディングデバイスを有している場合には、記録されたコンテンツおよびパラメータデータを遊園地のシステムへ転送またはダウンロードして、顧客の最終的な再生経験内に組み込むことができる。場合によっては、遊園地がレコーディングデバイス（例えば、デジタルカメラおよび／またはデジタルビデオレコーダ）を顧客に提供することもできる。次いで遊園地は、再生経験を作成する際に、遊園地の記録したコンテンツに加えて、顧客の記録したコンテンツを、遊園地の提供したレコーディングデバイスから使用することができる。さらにレコーディングデバイスは、いくつかの実装形態においては、レコーディングデバイスの位置を遊園地のシステムへ送信するための送信機を含むこともでき、したがって遊園地は、レコーディングデバイスの位置に基づいて顧客の位置が分かるため、顧客は、必ずしも自分のチケットをスキャンする必要はない。
【００８９】
いくつかの実装形態においては、顧客は、必ずしも遊園地で再生経験を購入する必要はなく、その代わりに、遊園地によってコントロールされているリモートサーバに後からアクセスして、コンテンツおよび／または作成された再生経験の一部またはすべてを購入することができる。さらに顧客は、顧客の作成したさらなるコンテンツをサーバにダウンロードすることができ、それによってサーバは、顧客の作成したさらなるコンテンツを最終的な再生経験に含めることができる。追加として、および／または別法として、遊園地によって作成されて顧客へ提供される再生経験は、いくつかの実装形態においては、顧客が再生経験を取り出して自分自身のコンテンツを用いてその再生経験を増強すること、再生経験を編集すること、再生経験からコンテンツを抽出すること、および／またはその他の形でコンテンツを使用することを可能にするために顧客がさらにアクセスできるように構成することができる。
【００９０】
図７をさらに参照すると、さらなるコンテンツが追加されることになる場合には、ステップ７４４に入り、このステップ７４４では、そのさらなるコンテンツが検索される。さらなるコンテンツが追加されることにならない場合には、プロセスは、ステップ７５０へと続く。ステップ７５０においては、遊園地の作成したコンテンツおよび／または顧客の作成したコンテンツが、選択されたスタイルおよび／または所定のスタイルに従って編成される。ステップ７５２においては、再生経験が作成される。ステップ７５４においては、その再生経験が受け入れられるかどうかが判定される。例えば、いくつかの実装形態においては、任意選択の特徴として、顧客がそのスタイルを気に入るかどうかを確かめるためにその顧客が再生経験を見ることができるようにすることができる。ステップ７５４において、再生経験が受け入れられないと判定された場合には、プロセスは、ステップ７３６に戻って、例えば別のスタイルを使用して、新たな再生経験を作成する。再生経験が受け入れられる場合には、ステップ７５６に入り、このステップ７５６では、再生経験が記録され、および／または顧客へ配信される（例えば、再生経験を顧客のＥメールアドレスにメールすることもでき、ウェブサイトにポストして、そこへ顧客がアクセスして検索することもでき、あるいはその他のそのような記録および配信の方法も可能である。）ステップ７６０においては、支払いを既に受けている（例えば顧客は、遊園地に入るためのチケットを購入する際に、再生経験のための支払いを行う可能性がある）のでなければ、再生経験のための支払いを受ける。代替実装形態においては、プロセス７２０は、遊園地のコンテンツを、そのコンテンツが記録される際に編成することができる。例えば遊園地は、所定のスタイルを使用して、顧客の位置を割り出し、コンテンツが記録される際に、その記録されるコンテンツをその所定のスタイルに従って保存することができる。
【００９１】
生成されて顧客に関連付けられるコンテンツは、そのコンテンツを遊園地の特定のアトラクション、見所（highlight）、および／またはその他のそのような特徴に関連付けるためのさらなるパラメータデータを含むこともできる。例えば、ディズニー（登録商標）のキャラクタ（例えば、ミッキーマウス（登録商標）、ミニマウス（登録商標）、ドナルドダック（登録商標）、およびその他のキャラクタ）など、遊園地を徘徊するキャラクタは、トラッキングデバイスを含むことができ、それによって、顧客のために遊園地によって記録されたコンテンツを（１つまたは複数の）キャラクタまたはその他のアトラクションにさらに関連付けることができる。キャラクタに近接しているコンテンツが記録されているときに、その記録されているコンテンツを遊園地内のその位置に関連付けるだけでなく、そのキャラクタにも関連付けることができる。コンテンツが編成される際には、そのコンテンツをキャラクタおよび／またはその他のアトラクションに基づいてさらに編成することができる。
【００９２】
プロセス７２０は、さらなる収入の流れとして顧客への再生経験を提供する際に使用するための１つの例にすぎない。いくつかの実装形態においては、プロセス７２０は、ステップ７３４の後に、コンテンツを基本的な編成スタイルで保存して、その基本的に編成されたコンテンツをユーザに提供するさらなるステップが続いてから終了するバージョンなど、簡略化されたバージョンとすることができる。
【００９３】
この簡略化されたスタイルまたは基本的なスタイルによって、ユーザは、コンテンツを持ち帰って自分自身で編成することができ、あるいはさらなる個人的な情報、または記録を行う事業体にとって利用可能なスタイルの権限外である高度にカスタマイズされたスタイルを適用することができる。この基本的な編成は、ＤＶＤスタイルのナビゲーションではなく単に階層的なファイル編成をレコーディングメディア上に含むことができるレベルで示されるシンプルな、リストをベースにしたスタイルのタイプなど、任意の数の異なるタイプの編成とすることができる。例えば遊園地は、位置および／または時間によって編成されて適切に名前を付けられたサブフォルダを含めることができる。これらの基本的なスタイルは、ユーザにコンテンツを単に提供し、その一方でさらに、埋め込まれたパラメータデータをソース内から利用する。さらに、これらのシンプルなスタイルの再生経験は、ユーザがコンテンツを希望どおりに編成する際に、および／またはこれらの実施形態によって定義されるようにコンテンツの編成を自動化する際に役立つようにパラメータデータのうちの一部またはすべてをさらに含むことができる。
【００９４】
プロセス７２０は、遊園地に関連して上述されている。しかし、プロセス７２０の実装形態は、遊園地には限定されず、それどころか、実質的にあらゆる会場、イベント、場所、施設、催し物などで使用することができる。例えばプロセス７２０は、スポーツのイベントおよびトーナメント（例えば、ゴルフのトーナメント、バスケットボールの試合、フットボールの試合、自動車レースなど）、コンサートおよびその他の娯楽イベント、博物館および記念建造物、国立公園、ならびにその他のそのようなイベントおよび場所で使用することができる。同様にプロセス７２０は、結婚式などの個人的なイベントのために、結婚式場および／または披露宴会場のあちこちに複数のカメラおよび／またはビデオカメラを配置して、トラッキングデバイスを重要な個人（例えば、新婦、新郎、父親、母親、新婦の介添人、新郎の介添人など）の身に付けて使用することによって、専門家および／または個人によって使用することができる。さらにトラッキングデバイスは、１つまたは複数の再生経験を作成する際にコンテンツをさらに編成して優先順位付けるために、個人の生体測定パラメータデータをさらに測定することができる。またさらに、プロセス５２０は、追跡記録されている個人ごとの個別の再生経験（例えば、新婦および新郎のための１つの再生経験、新婦の両親のための別の再生経験、および新郎の両親のためのさらに別の再生経験）を提供するために利用することができる。
【００９５】
これらの実施形態は、コンテンツのパラメータデータに少なくとも部分的に基づくコンテンツの再生をさらに提供する。例えば、いくつかの実施形態においては、コンテンツの再生は、そのコンテンツを再生しているデバイスの位置に基づいて決定される。もしあるならばどのコンテンツを再生するかを決定する際に、その他のパラメータデータを、追加として、および／または別法として使用することができる。再生は、ユーザがどこにいるか、いま何時か、ユーザは誰か、それまでユーザはどこにいたか、および／またはそれまでユーザは何をしていたかに基づくことができる。パラメータデータに基づいて、最も関連性の高いコンテンツが選択されて、再生される。追加として、および／または別法として、生体測定パラメータデータに基づいてコンテンツの再生を限定することができる。例えば、大量のコンテンツを伴ってコンテンツが生成されたかもしれないが、ユーザは、生体測定レベルが最も低いシーンに再生を限定することができる。こうすれば、コンテンツのすべてが利用可能であり、ユーザはコンテンツを削除する必要はなく、その一方で再生は、より関連性の高い部分、あるいはより重要な部分に限定される。
【００９６】
図８は、いくつかの実施形態によるメディアコンテンツ再生システム８１０の簡略化されたブロック図を示している。このシステムは、再生デバイス８２０を含み、この再生デバイス８２０は、コントローラまたはプロセッサ８２２と、メモリ８２４と、オーディオ出力８２６（例えば、スピーカ、オーディオジャックなど）と、ビデオ出力ディスプレイ８３０と、位置検知デバイス８３２と、有線通信および／または無線通信を提供する入力および出力ポート８３４と、コンテンツを再生するためのその他の回路８３６とを含む。いくつかの実施形態においては、再生デバイス８２０は、コンパス方向検知デバイス８４０と、クロック８４２と、ユーザコントロール８４４と、メディアコンテンツにアクセスして再生するためのその他の適切な回路とをさらに含む。メモリは、実行ファイル８５０、プログラム８５２、メディアコンテンツ８５４、スタイル再生コントロールコンデイション（style playback control conditions）８５６、再生履歴８６０、場所履歴８６２、再生の好み（playback preference）８６４、再生パラメータデータ８８０（例えば、位置データ８８２、方位またはコンパスの方向８８４、時刻および／または時節８８６など）、ならびにその他の情報および／またはデータを含む。再生デバイス８２０は、外部メモリ８７０、リモートメモリ８７２、および／またはリモートコンピュータもしくはサーバ８７４と通信することができる。外部メモリ、リモートメモリ、および／またはコンピュータとの通信は、（例えば、ネットワーク８７６を介した）有線通信または無線通信８７８によって行うことができる。いくつかの実施形態においては、再生デバイス８２０は、レコーディングデバイス１２０などのレコーディングデバイスをさらに含むことができる。
【００９７】
いくつかの実施形態においては、再生されるコンテンツは、再生デバイス８２０の位置に基づいてコントロールおよび／または開始される。再生デバイス内に直接組み込まれているか、または再生デバイスの外部にあって再生デバイスと連携している位置検知デバイスを通じて、再生デバイスの位置が割り出される。図１のレコーディングシステム１２０と同様に、再生デバイス８２０の位置検知デバイス８３２は、コンテンツの位置パラメータデータに関して十分に正確な位置データを提供するＧＰＳデバイスまたはその他の適切な位置検知デバイスを通じて実装することができる。
【００９８】
再生デバイスの位置と、パラメータデータを伴うメディアコンテンツとを使用して、プロセッサ８２２は、再生コントロール８５６を利用して、もしあるならばどのコンテンツを再生するかを決定し、そのコンテンツへとナビゲートして、そのコンテンツを検索し、再生デバイスの位置に関連している適切なコンテンツを再生する。いくつかの実施形態は、単なる位置データ以上のものを使用するようにさらに構成されている。コンパスデータ、時間データ、ユーザの好み、再生履歴、場所履歴（所与の場所に関するさらなるコンテンツがあるかもしれない）、およびその他のパラメータなど、その他のパラメータデータを使用して、コンテンツどうしをさらに区別すること、およびコンテンツの関連性を判断することができる。再生デバイスは、分析された再生パラメータデータおよびコンテンツパラメータデータに従ってコンテンツを再生するように構成されている実質的にあらゆる適切な再生デバイスとすることができる。例えば再生デバイスは、国立公園（例えばヨセミテ渓谷）の視覚的な見学を含むＤＶＤなどのＤＶＤを再生するための位置認識型のＤＶＤプレーヤとすることができる。ユーザが渓谷のあちこちをドライブしているときに、再生デバイス８２０は、ユーザ（および再生デバイス）が位置する場所にとって適切なオーディオ／ビデオコンテンツを識別する。ユーザが特定の見所（例えばヨセミテの滝）に近づくと、再生デバイスは、その滝と、どこで最もよく見える場所が見つかるかとを示すビデオを識別して再生することを選択することができる。追加として、および／または別法として、ユーザが別の道路との交差点に近づくと、再生デバイスは、ユーザがこの交差点を曲がったならばユーザに何が見えるであろうかを示すビデオを識別して再生することを選択することができる。
【００９９】
コンテンツは、ローカルあるいはリモートのものとすることができ（リモートコンテンツは、動的に更新することができる）、場合によってはメディアコンテンツの編成と連携して、例えば、そのコンテンツに伴う走行条件、および代わりとなる道順、ならびにその他のパラメータを提供することができる。場合によっては、所与の位置にメディアコンテンツの複数の部分を適用できるようにすることができる。再生デバイスおよび／またはユーザは、すべてのアイテムを順次連続して再生すること、最も関連性の高いアイテムのみを再生すること、特に選択されたアイテムのみを再生すること、あるいはその他の再生スキームを選択することができる。コンテンツの関連性は、再生パラメータおよび／またはルール（例えば、限定された日付および時刻）、以前に訪れた場所８６２、以前に見たコンテンツ８６０、ユーザの好み８６４、およびその他の関連性要因に基づいて判断することができる。上述のように、再生デバイスは、どのメディアコンテンツが以前に再生されたことがあるか、そのメディアコンテンツはいつ再生されたか、そのメディアコンテンツはどれぐらい頻繁に再生されたか、ユーザによって選択されたメディアのタイプ、訪れた場所のタイプ、およびその他のユーザの好みに関する記録を保持することができる。この情報を使用して、ユーザにとってのメディアコンテンツの関連性が判断され、再生するコンテンツが識別される。
【０１００】
再生デバイスは、位置情報（緯度、経度、高度）を入手するためにＧＰＳのようなデバイスなどの位置検知デバイス８３２を利用し、コンパス情報を割り出すためにコンパス検知デバイス８４０を利用する。位置情報およびコンパス情報ならびに時刻／日付情報は、複数のアクセス可能なコンテンツのうちのどれが現在の位置、所与の位置、あるいは選択された位置に関連するかを判断する目的でコンテンツを分析するために使用される。関連性は、「関連しない」から「きわめて関連性が高い」まで変動するような等級によって、数字の等級（例えば、１〜１０の等級で、１０が「きわめて関連性が高い」である）またはその他の関連性を使用して定義することができる。
【０１０１】
再生されるコンテンツを識別するために位置情報を利用する従来技術の再生デバイスがある。しかし、これらのシステムのうちのいくつかは、再生されるコンテンツを割り出すために近接性の検知を使用する。例えば、博物館用のオーディオ見学再生デバイス（museum audio tour playback device）は、その再生デバイスに最も近い博物館の展示品に基づいて別々のオーディオコンテンツを再生する。これらのシステムは通常、何らかのタグを付けられている物理的な位置に依存し、それによって再生デバイスは、自分が当該位置の近くに来たときが分かる。さらに、これらの再生システムは通常、小さな（すなわち建物のサイズの）エリアに限定され、一般にはそれ以上大きなエリアに拡張することはできない。いくつかのその他の再生システムは、もっぱら再生デバイスの絶対的な位置（すなわちＧＰＳ）の情報に基づいて、オーディオのみのコンテンツをユーザに配信する。そのような１つの例が、ニュージーランドのオークランドのＫｒｕｓｅ−ＩＴＳ  Ｌｉｍｉｔｅｄによって提供されているニュージーランドのオーディオドライビングツアー（audio driving tour）である。しかし、このオーディオドライビングツアーは一般に、もっぱら絶対的なＧＰＳ位置情報に基づいてローカルコンテンツを再生することに限定されている。
【０１０２】
本実施形態の再生システムは、コンパスの方向、時刻および日付のデータ、以前に再生されたコンテンツの履歴、ユーザの好み、およびその他のそのようなパラメータデータなど、さらなるパラメータデータを利用する。これらの実施形態は、さらなるパラメータデータを利用して、オーディオコンテンツおよび／またはビジュアルコンテンツをソートし、識別し、選択し、再生する。例えば、いくつかの実装形態における再生システムは、位置８８２だけでなく、時刻および／または時節８８６、進行方向８８４、ユーザが同じ場所または別の場所に最近行ったことがあるか否か、およびその他の関連するパラメータにも基づいてメディアコンテンツを選択する。さらに、この再生デバイスは、ローカルおよび／またはリモートのメディアコンテンツを利用するように構成することができる。いくつかの実施形態においては、再生デバイスは、さらなるコンテンツを検索するためにコンテンツデータベース８７０に無線でアクセスするための無線通信機能を含む。システムが離れた場所からコンテンツにアクセスできるようにすることによって、場合によってはローカルのみのコンテンツよりもはるかに大きいコンテンツのデータベースにアクセスすることができ、さらにコンテンツを定期的かつ容易に更新することができる。
【０１０３】
図９は、パラメータデータに基づいてコンテンツをソートし、選択し、再生する際に使用するためのプロセス９２０の流れ図を示している。ステップ９２２において、プロセスは、再生パラメータデータ８８０を検索し、この再生パラメータデータ８８０は、もっぱら再生デバイスから受け取るか、あるいは無線で受信されたデータを含めて、さまざまな潜在的なソースから受け取ることができる。再生デバイスのパラメータデータは、位置情報（例えば、ＧＰＳデータ）８８２、方位情報（例えば、コンパスデータ）８８４、（例えば、クロック８４２または位置検知デバイスからの）時刻および／または日付情報８８６、ユーザ情報（例えば、個人的な好み８６４）、およびその他のデバイスパラメータデータを含むことができる。ステップ９２４においては、プロセスは、利用可能な場合に再生履歴８６０および／または場所履歴情報８６２を検索する。この場合もやはり、この履歴情報および／またはパラメータデータは、再生デバイス（すなわち、メモリ８２４）上にローカルに、外部メモリ８７０内に、および／またはリモートメモリ８７２内に保存することができる。
【０１０４】
ステップ９２６において、メディアコンテンツがアクセスされ、この場合、そのコンテンツは、ローカルコンテンツ８５４、外部のコンテンツ、および／またはリモートコンテンツを含むことができる。ステップ９３０において、プロセスは、利用可能なコンテンツパラメータデータを解析および／またはソートして、ステップ９２２で得られた再生デバイスパラメータデータに関連する１つまたは複数のコンテンツを識別する。ステップ９３２において、コンテンツが現在再生されているかどうかが判定される。コンテンツが再生されている場合には、ステップ９３４に入り、このステップ９３４では、再生デバイスは何もせず、および／またはステップ９３０において識別されたコンテンツをキャッシュに格納する。コンテンツが再生されていない場合には、ステップ９３６に入り、このステップ９３６では、何らかの関連するコンテンツがステップ９３０で識別されたかどうかが判定される。関連するコンテンツが識別されていない場合には、ステップ９３４に入り、プロセス９２０は、何もせずに終了する。
【０１０５】
ステップ９３６において関連するコンテンツが識別された場合には、プロセスはステップ９４０へと続き、このステップ９４０では、コンテンツがソートされて、最も関連性の高いコンテンツから最も関連性の低いコンテンツまでが識別される。例えばプロセスは、場所履歴データを利用して、ユーザが以前にいくつかの国立公園に行ったことがあると判断し、したがって、付近の別の公園に関連したコンテンツを、付近の博物館に関連したコンテンツよりも関連性の高いものとして優先順位付けることができる。ステップ９４２において、プロセスは、ユーザが手動でコンテンツの選択を入力したかどうか、またその選択が、ステップ９３０において識別されたコンテンツからのものであるか、あるいはその他のコンテンツからのものであるかを判定する。いくつかの実装形態においては、システムは、再生デバイスのパラメータデータに対する関連性を問わずに実質的にあらゆる情報にアクセスするためにユーザがシステムを無効にできるようにする。しかし、いくつかの実装形態においては、以下で十分に説明するように、ユーザの申し込みに基づいて、限られた利用可能なコンテンツにのみアクセスするようにコンテンツを限定することができる。ステップ９４４において、コンテンツのソートされた関連性および／またはユーザの選択に基づいて、プロセスは、再生されるコンテンツを再生履歴８６０に追加する。ステップ９５０において、コンテンツが利用可能にされて、ユーザに対して再生される。
【０１０６】
再生システム９２０を、位置デバイスと、コンテンツの検索を実行するためのハードウェアおよび／またはソフトウェア（例えば、プロセッサ８２２）と、その他の関連するコンポーネントとを含む単一のデバイスとして説明した。いくつかの実施形態においては、リモートサーバ８７４などのリモートデバイスは、追加として、および／または別法として、これらのコンポーネントおよび／または処理機能のうちの一部またはすべてを含む。例えば再生デバイスは、位置検知デバイス８３２を含むことができ、位置情報をリモートサーバ８７４へ転送することができる。次いでリモートサーバは、その位置情報を利用して、リモートメモリ８７２からのコンテンツの検索を開始し、１つまたは複数の識別されたコンテンツを再生用として再生デバイスへ転送する。
【０１０７】
プロセス９２０は、関連付けられたパラメータデータを伴う実質的にあらゆるタイプのコンテンツと共に利用することができる。いくつかの実装形態においては、再生プロセス９２０は、道路状況などの現在の状況を実質的にリアルタイムで再生する。メディアコンテンツは、複数のデータ供給（data feed）および／またはリアルタイムストリーム（real time stream）（例えば、大都市圏内および／または周辺の道路のビデオおよび／またはイメージ）とすることができ、コンテンツが検索される場所と、コンテンツが検索された時間と、方向の指示（例えば、北行きのレーン対南行きのレーン）とを含むパラメータデータと共に、リモートストレージ８７２に提供される。いくつかの実装形態においては、交通の速度、およびその他の関連するパラメータデータなど、さらなるパラメータデータをコンテンツと共に提供することができる。時間データおよび位置情報に基づいて、システムは、ユーザの定義した経路に基づいて交通内を通り抜けるリアルタイムのナビゲーションを作成することができる。
【０１０８】
例えば、再び図９を参照すると、ステップ９２２において、ドライバの位置、方位または進行方向、時刻、ならびに場合によっては所望の目的地および／または（例えば、過去の履歴に基づく）好ましい進行経路が、自動車内の再生デバイスからリモートサーバ８７４へ提供される。リモートサーバは、大都市圏内および／または周辺の道路の現在および／またはリアルタイムのビデオおよび／またはイメージのライブラリとさらに結合されている。ステップ９２６において、リモートサーバは、道路のビデオ／イメージのライブラリにアクセスする。ステップ９３０において、サーバは、リアルタイムのコンテンツに関連付けられているパラメータデータに基づいて自動車の現在の位置および予想される進行経路に関連する道路のイメージ／ビデオを識別し、そのコンテンツを再生デバイスに提供して、ユーザが最適な運転経路を決定できるようにする。
【０１０９】
提供するイメージ／ビデオを決定する際には、サーバは、自動車が現在走行している道路／自動車専用道路に関する交通データ、ならびに進行方向に基づいて可能性のある代替経路、想定される経路、および／または好ましい経路を転送することができる。追加として、および／または別法として、プロセス５２０を通じてなど、コンテンツを編成する際に利用されるスタイルは、例えばパラメータデータが、リアルタイムのビデオ／イメージコンテンツと共にライブラリ８７２へ転送される交通の速度を含む場合には、（音声による、グラフィカルな、および／または文字による）交通量の見積もりを含むことができる。同様にスタイルは、やはり所望の目的地への経路に関するパラメータデータ（例えば、交通の速度）の見積もりに基づいて、音声による、グラフィカルな、および／または文字によるお奨めの道順をさらに提供することができる。
【０１１０】
同様に、再生されるコンテンツは、マルチメディアコンテンツには限定されない。あるいは、いくつかの実施形態は、再生経験、および／または再生経験の一部としてのマルチメディアコンテンツにアクセスするために、インターネットサイトへのインターネットリンクなどのリンクを提供することができる。例えば、交通のイメージ／ビデオを提供する代わりに、サーバ８７４は、道路および／または自動車専用道路の脇に沿って取り付けられている１つまたは複数のカメラから再生デバイス（例えば、自動車内のコンピュータおよび／または再生デバイス）への１つまたは複数のリンクを提供して、その再生デバイスが、それらのリンクへ、したがってインターネットサイトによって提供されるビデオ、イメージ、および／またはその他のコンテンツへアクセスできるようにすることができる。
【０１１１】
関連性を判断する際には、再生デバイスは、再生デバイスのパラメータデータを利用して、利用可能なコンテンツパラメータデータを検索する。図１０は、コンテンツの関連性を判断するためのプロセス１０２０の簡略化された流れ図を示している。いくつかの実施形態においては、プロセス１０２０を使用して、図９のステップ９３０を実行する。ステップ１０２２において、プロセスは、第１の優先順位のパラメータデータ、例えば位置データ、またはデフォルトの優先順位を識別する。ステップ１０２４において、プロセスは、再生デバイスのパラメータデータが第１の優先順位のパラメータデータ（例えば、位置データ）を含んでいるかどうかを判定する。第１の優先順位のパラメータデータが利用可能でない場合には、プロセスはステップ１０４０へと続く。第１の優先順位のパラメータデータが利用可能である場合には、ステップ１０２６に入り、このステップ１０２６では、ローカルな、外部の、および／またはリモートのコンテンツが検索される。いくつかの実施形態においては、上述のようなコンテンツのインデックスを利用して、コンテンツが検索される。ステップ１０３０において、プロセスは、１つまたは複数の合致（match）が見つかったかどうかを判定する。合致が見つからなかった場合には、プロセスはステップ１０４０へと続く。合致が見つかった場合には、ステップ１０３２において、１つまたは複数のコンテンツ識別子が記録される。ステップ１０３４において、コンテンツのすべてが検索されているかどうかが判定される。コンテンツのすべてが検索されていない場合には、プロセスはステップ１０２６へ戻る。
【０１１２】
コンテンツのすべてが検索されている場合には、プロセスは、ステップ１０４０へと続く。このステップ１０４０では、第２の優先順位が定義されている場合、２番目に高い優先順位のパラメータデータ（例えば、コンパスの方向または進行方向）が識別され、あるいはデフォルトの優先順位を利用することもできる。ステップ１０４２において、第１の優先順位のパラメータに基づく検索を通じて識別されたコンテンツのパラメータデータが、第２の優先順位に基づいてさらに評価される。例えば第２の優先順位のパラメータは、コンテンツのコンパスパラメータデータと合致するコンパスの方向、日付の範囲（例えば、５月１日〜９月３０日）を含むパラメータデータと合致することができる現在の日付（例えば、６月１７日）、あるいはその他のそのようなパラメータとすることができる。ステップ１０４４において、プロセス１０２０は、コンテンツのパラメータデータと、再生デバイスのパラメータデータとの合致があるかどうかを判定する。合致が検知されない場合には、プロセスは、ステップ１０５０へと続く。合致が検知された場合には、ステップ１０４６に入り、このステップ１０４６では、コンテンツ識別子が再び記録される。ステップ１０５０において、それまでに識別されたコンテンツのすべてが評価されているかどうかが判定される。コンテンツのすべてが評価されているわけではない場合には、プロセスは、ステップ１０４４へ戻る。ステップ１０５４において、さらなる再生パラメータデータがさらに比較または評価されることになるかどうかが判定される。さらなるパラメータデータが比較されることになる場合には、ステップ１０４０から１０５０が、任意の数のパラメータデータに対して任意選択で繰り返される。
【０１１３】
ステップ１０６０において、プロセス１０２０は、再生履歴にアクセスして、識別および記録されたコンテンツのうちのいずれかが以前に再生されたことがあるかどうかを判定する。識別されたコンテンツのうちのいずれも以前に再生されたことがない場合には、プロセスは、ステップ１０６４へと続く。識別されたコンテンツのうちの１つまたは複数が以前に再生されたことがある場合には、ステップ１０６２に入り、このステップ１０６２では、プロセスは、コンテンツがリピートされるべきかどうかを判定し、リピートされるコンテンツの識別子をステップ１０６４において記録する。いくつかの実装形態においては、コンテンツパラメータデータは、リピートするかどうか、リピートする前に置くべき時間間隔、リピートする回数、およびその他の同様の情報を指定するさらなるリピートパラメータを含むことができる。例えば広告コンテンツの場合には、リピートパラメータは、毎回リピートするように設定することができ、その一方で、国立公園のある部分に関するコンテンツは、前回の再生から所定の日数（例えば、同じ休暇中のリピートを避けるために１０日間）が経過したときにのみリピートされる。
【０１１４】
ステップ１０６６において、プロセスは、場所履歴８６２にアクセスして、その他の関連する場所を以前に訪れたことがあるかどうか、および／または再生デバイスが現在の場所を既に訪れたことがあるかどうかを判定する。再生デバイスが以前にその場所を訪れたことがない場合には、プロセスは、１０７０へと続く。再生デバイスが、関連する場所を以前に訪れたことがある場合には、ステップ１０６８に入り、このステップ１０６８では、プロセス１０２０は、前回の場所に関連付けられているさらなるコンテンツをさらに再生すべきかどうか、類似したコンテンツが既に再生されているためにそのコンテンツを再生することを避けるべきかどうか、あるいはその他のそのような条件が満たされているかどうかを判定する。さらなるコンテンツが再生されることにならない場合には、プロセスは、ステップ１０７０へと続く。さらなるコンテンツが再生されることになる場合には、ステップ１０７４に入り、このステップ１０７４では、さらなるコンテンツ識別子が記録される。
【０１１５】
ステップ１０７０において、プロセスは、再生されるコンテンツが識別されているかどうかを判定する。再生される有効なコンテンツが識別されている場合には、プロセスは、図９のプロセス９２０のステップ９３２へ続くなど、コンテンツの再生を継続する。有効なコンテンツが識別されていない場合には、ステップ１０７２に入って、識別された関連するコンテンツがすべて評価されて表示されているかどうかを判定する。識別された関連するコンテンツが評価されていない場合には、プロセスは、ステップ１０６０へ戻る。関連するコンテンツがすべて評価されている場合には、プロセスは終了する。
【０１１６】
ステップ１０３４および１０４４において、プロセス１０２０は、合致を識別しようと試みる。合致は、上述の説明では、「はい」または「いいえ」の判定を意味した。しかし、これらの合致は、単に「はい」または「いいえ」の判定には限定されない。パラメータがコンテンツの特定の部分に合致するかどうかを分析することによって、結果として、ある範囲の値を得ることができる。例えば、コンテンツの位置パラメータをデバイスの位置パラメータと比較することによって、結果として、相対的な近接性を示す数値（例えば、０．０から１０．０）を得ることができる。結果として、コンテンツのいくつかの部分は、「合致」として識別されるかもしれないが、いくつかのコンテンツは、その他のコンテンツよりも強い合致である。
【０１１７】
いくつかの実施形態においては、パラメータデータを含むメディアコンテンツと連携した再生システム８１０が、再生デバイスの位置に関連し、かつその再生デバイスの位置に対して適切な識別されたメディアコンテンツを自動的に選択し、そのメディアコンテンツへナビゲートし、そのメディアコンテンツを再生する。この再生は、多くの用途で利用することができる。例えば、この再生は、徒歩または車による見学で使用することができる。再生デバイスが自分の位置を認識しているため、見学は、非直線的なものにすることができ、ユーザの選択するいかなる経路にも適合することができる。別の例として、再生コンテンツは、関連性の高い旅行情報を提供することができる。いくつかの実装形態における旅行者は、位置検知機能と共に無線通信機能を有する再生デバイス（例えば、ＧＰＳ対応型の携帯電話）を使用することができる。リモートサーバ８７４と無線で通信することによって、位置情報をそのサーバに転送することができ、そのサーバは、ユーザの現在位置の付近の関心のあるポイント、ホテル、および／またはレストランのビデオを見るためなどに、その位置情報を使用して、関連するコンテンツをデータベースから検索し、そのコンテンツをユーザに戻す。
【０１１８】
この再生システムは、いくつかの実装形態においては、場所固有の広告用としてさらに利用することができる。例えば旅行者は、再生デバイスからの位置情報に基づいて、付近のレストランに関する場所固有の広告をローカルメモリまたはリモートメモリから受信することができる。場合によっては、サーバは、例えば時刻、分かっている個人的な好み、あるいはその他のそのようなコンテンツおよび／またはユーザパラメータに基づいて、どのレストランが広告されるのかを割り出す。
【０１１９】
再生デバイスは、現在の位置を割り出すように構成されている。位置情報を確認するためにＧＰＳの測位テクノロジーを使用することができるが、再生デバイスが自分の位置を適切な精度で割り出せるようにするその他のそのような測位システムを使用することもできる。上述のように、再生デバイスによって、コンパス情報（方位）および時間／日付情報をさらに割り出すことができる。コンパス情報によって、デバイスは、どのコンテンツが最も関連性が高いかを決定する際に方位を計算に入れることができる。例えば再生デバイスは、ユーザが面している方向に応じて、ヨセミテの滝またはハーフドーム（Half Dome）のいずれかの景色を示すコンテンツを選択することができる。時刻および日付の情報によって、デバイスは、時間に依存する情報を配信することもできる。例えば、再生デバイス（例えば携帯電話）へのレストランの広告は、朝食用は午前９：００に、昼食の広告は正午に、および夕食の広告は午後７：００に行うことができる。
【０１２０】
これらの実施形態は、コンテンツを編成する際、および／または再生経験を生成する際に使用されるパラメータデータを含むマルチメディアコンテンツを生成する機能を提供する。さらに、これらの実施形態は、コンテンツパラメータデータに基づいてコンテンツの分析、編成、および連携を自動化することによって、再生経験の生成を簡略化する。再生経験の生成は、１回または２回のクリックのユーザ経験に軽減され、ユーザは、コンテンツをロードすることができ、システムは、そのコンテンツを処理して、編成された再生経験を生成し、その再生経験は、ＤＶＤなどのメモリに容易に記録することができる。さらに、これらの実施形態によって、ユーザは、選択されたスタイルに基づいて編成されたコンテンツを容易かつ迅速に見ることができ、１回クリックするだけで、別のスタイルへの切り替えを開始することができ、別のスタイルを選択すること以外にユーザからのさらなる入力は不要である。これらの実施形態によって、コンテンツの編成ならびに再生経験の生成が簡略化され、その一方で、ユーザによるデータの投入および／または入力の必要性は少なくなるか、あるいは実質的になくなる。
【０１２１】
さらに、再生パラメータデータを利用することによって、これらの実施形態は、実質的にリアルタイムでの再生経験の動的な生成を提供する。例えば広告の場合には、広告を含む再生経験は、現在のユーザの位置に基づいて生成され、したがって動的に生成される。さらに、再生位置パラメータデータおよび／または時間データを使用して、現在の関連するコンテンツが識別される。したがって、これらの実施形態は、現時点でユーザにとって特に関連性の高いコンテンツを再生できるようにする。
【０１２２】
パラメータデータをコンテンツに組み込むこと、および／または関連付けることによって、これらの実施形態はさらに、ユーザが見たいコンテンツを見つけ出すためのさらなる方法を可能にする。例えば上述のように、地図を生成および／または検索することができ、それによってユーザは、地図上の場所を選択することができ、地図上のその選択された場所に関連付けられているコンテンツ、あるいはその場所の近くのコンテンツが検索される。同様に、いくつかのスタイルは、インデックスを提供し、それによってユーザは、コンテンツの編成されたインデックスに基づいてコンテンツを迅速に見つけ出すことができる。
【０１２３】
いくつかの実施形態はさらに、ユーザが、一般的な言語による検索を利用して、関心のあるコンテンツを識別および検索できるようにする。上述のように、いくつかの実装形態におけるパラメータデータは、検索語をさらに含む、および／または組み込む。これらの検索語によって、再生システムは、ユーザまたはシステムの入力した検索基準および／または用語に基づいて、ユーザが関心を持っている可能性のあるコンテンツを迅速に識別することができる。同様に、一般的な言語を使用して、一般的な言語のコンテンツを伴わないコンテンツを検索することができる。例えばユーザは、「夏」のコンテンツを検索することができる。このシステムは、「夏」を表す一般的な言語を、例えば６月１日から８月３１日までにわたる日付と定義し、この日付の期間内の日付パラメータデータを有するすべてのコンテンツを検索することができる。コンテンツを見つけ出すために、その他の類似の一般的な言語検索を実行することもできる。
【０１２４】
本明細書で開示した本発明について、特定の実施形態およびそれらの応用例を用いて説明したが、それらに対して、当業者であれば、特許請求の範囲に記載されている本発明の範囲から逸脱することなく、多くの修正形態および変形形態を作成することができるであろう。
【図面の簡単な説明】
【０１２５】
【図１】本発明のいくつかの実施形態による、マルチメディアレコーディングシステムまたはデバイスを示す簡略化されたブロック図である。
【図２】コンテンツを生成する際に使用するプロセスを示す簡略化された流れ図である。
【図３】パラメータデータを既存のコンテンツに組み込むおよび／または関連付けるプロセスを示す簡略化された流れ図である。
【図４】パラメータデータに基づいてメディアコンテンツを編成する、ならびに／あるいはテンプレートおよびスタイルに従ってメディアコンテンツを組み込むいくつかの実施形態によるシステムを示す簡略化されたブロック図である。
【図５】いくつかの実施形態による、メディアコンテンツを編成する際および／または再生経験を生成する際に使用するプロセスを示す簡略化された流れ図である。
【図６】位置、コンパス、傾斜、進行方向、およびその他のそのようなパラメータを使用することによって複数の部屋を画定する、スタイルによって生成された家の間取り図を示す簡略化されたブロック図である。
【図７】顧客用の再生経験を生成するプロセスを示す簡略化された流れ図である。
【図８】いくつかの実施形態によるメディアコンテンツ再生システムを示す簡略化されたブロック図である。
【図９】パラメータデータに基づいてコンテンツをソートし、選択し、再生する際に使用するプロセスを示す流れ図である。
【図１０】例えば図９のプロセスにおいて使用する際に、コンテンツの関連性を判断するプロセスを示す簡略化された流れ図である。
【図１】
2008537649.tif 000002
【図２】
2008537649.tif 000003
【図３】
2008537649.tif 000004
【図４】
2008537649.tif 000005
【図５】
2008537649.tif 000006
【図６】
2008537649.tif 000007
【図７】
2008537649.tif 000008
【図８】
2008537649.tif 000009
【図９】
2008537649.tif 000010
【図１０】
2008537649.tif 000011